(57)【特許請求の範囲】
【請求項１】
デジタル著作物保護システムであって、デジタル著作物の記録及び再生を行う記録再生装置と、可搬型の記録媒体装置とを含み、
前記記録媒体装置は、情報を記憶するための外部記憶領域を備え、前記記録再生装置に装着され、
前記記録再生装置は、
デジタル著作物であるコンテンツを記憶している内部記憶手段と、
前記記録再生装置自身に固有の機器固有情報を予め記憶しており、外部から情報を書き込むことができないよう保護されている固有情報記憶手段と、
前記コンテンツ毎に固有の情報であるタイトル鍵を生成するタイトル鍵生成手段と、
前記内部記憶手段に記憶されているコンテンツを前記タイトル鍵を用いて暗号化して暗号化コンテンツを生成する第１暗号化手段と、
前記タイトル鍵を、前記固有情報記憶手段に記憶されている、前記記録再生装置自身に固有の機器固有情報を用いて暗号化して暗号化タイトル鍵を生成する第２暗号化手段と、
前記記録媒体装置が備える外部記憶領域に、前記機器固有情報を書き込むことなく、前記暗号化コンテンツおよび前記暗号化タイトル鍵を書き込む書込手段と、
前記記録媒体装置が備える前記外部記憶領域から、前記暗号化コンテンツおよび前記暗号化タイトル鍵を読み出す読出手段と、
読み出された暗号化タイトル鍵を、前記固有情報記憶手段に記憶されている、記録再生装置自身に固有の前記機器固有情報を用いて復号して、復号タイトル鍵を生成する第１復号手段と、
前記暗号化コンテンツを前記復号タイトル鍵を用いて復号し、復号コンテンツを生成する第２復号手段と、
生成された前記復号コンテンツを再生する再生手段と
を備えることを特徴とするデジタル著作物保護システム。
【請求項２】
前記記録再生装置は、さらに、
前記コンテンツの利用の許諾に係る利用条件情報を記憶している条件記憶手段と、
前記利用条件情報に基づいて前記コンテンツの利用が許諾されるか否かを判定する条件判定手段とを含む
ことを特徴とする請求項１に記載のデジタル著作物保護システム。
【請求項３】
前記固有情報記憶手段は、更に、前記機器固有情報及び前記利用条件情報の読み出しが特別に許諾された装置以外では、外部に読み出せないように保護されており、
前記条件記憶手段は、前記機器固有情報及び前記利用条件情報の読み書きが特別に許諾された装置以外では、外部に読み出したり、外部から書き込みできないように、保護されている
ことを特徴とする請求項２に記載のデジタル著作物保護システム。
【請求項４】
前記記録再生装置は、さらに、前記書込手段が前記暗号化タイトル鍵を前記外部記憶領域に書き込む前に、又は前記読出手段が前記外部記憶領域から暗号化タイトル鍵を読み出す前に、前記記録媒体装置が有する第２認証手段との間で相互に相手の装置の正当性を認証する第１認証手段を含み、
前記記録媒体装置は、さらに、前記記録再生装置が有する前記第１認証手段との間で相互に相手の装置の正当性を認証する前記第２認証手段を含み、
前記外部記憶領域は、第１記憶領域と前記第１認証手段により相互の正当性が認証された場合のみ書込み及び読出しが可能な第２記憶領域とから構成され、
前記書込手段は、前記第１記憶領域に暗号化コンテンツを書き込み、第１認証手段により相互の正当性の認証がされた場合にのみ、前記第２記憶領域に暗号化タイトル鍵を書き込み、
前記読出手段は、前記第１記憶領域から暗号化コンテンツを読み出し、第１認証手段により相互の正当性の認証がされた場合にのみ、前記第２記憶領域から暗号化タイトル鍵を読み出す
ことを特徴とする請求項１に記載のデジタル著作物保護システム。
【請求項５】
前記記録再生装置は、さらに、
前記コンテンツの利用の許諾に係る利用条件情報を記憶している条件記憶手段と、
前記利用条件情報に基づいて前記コンテンツの利用が許諾されるか否かを判定する条件判定手段と
を含むことを特徴とする請求項４に記載のデジタル著作物保護システム。
【請求項６】
前記書込手段は、第１認証手段により相互の正当性が認証された場合にのみ、前記条件記憶手段から前記利用条件情報を読み出し、読み出した前記利用条件情報を前記第２記憶領域に書き込み、
前記読出手段は、第１認証手段により相互の正当性が認証された場合にのみ、前記第２記憶領域から前記利用条件情報を読み出し、読み出した前記利用条件情報を前記条件記憶手段に書き込み、
前記条件判定手段は、前記利用条件情報に基づいて前記コンテンツの利用が許諾されるか否かを判定する
ことを特徴とする請求項５に記載のデジタル著作物保護システム。
【請求項７】
前記条件記憶手段に記憶されている前記利用条件情報は、前記コンテンツの再生回数を示し、前記コンテンツの再生期間を示し、前記コンテンツの再生累積時間を示し、前記コンテンツのコピー可能回数を示し、又は前記コンテンツの移動可能回数を示し、
前記条件判定手段は、前記再生手段により再生される前記コンテンツの回数が前記再生回数以内である場合、前記再生手段により前記コンテンツが再生される日時が、前記再生期間内である場合、又は前記再生手段により前記コンテンツが再生される累積の時間が、前記累積時間以内である場合、前記コンテンツを再生すると判定し、その他の場合、再生しないと判定し、また前記コンテンツのコピー可能回数が１以上の場合、記録媒体装置へのコピーが可能と判定し、その他の場合、コピーが不可能と判定し、前記コンテンツの移動可能回数が１以上の場合、記録媒体装置への移動が可能と判定し、その他の場合、移動が不可能と判定する
ことを特徴とする請求項６に記載のデジタル著作物保護システム。
【請求項８】
前記固有情報記憶手段は、更に、前記機器固有情報及び前記利用条件情報の読み出しが特別に許諾された装置以外では、外部に読み出せないように保護されており、
前記条件記憶手段は、前記機器固有情報及び前記利用条件情報の読み書きが特別に許諾された装置以外では、外部に読み出したり、外部から書き込みできないように、保護されている
ことを特徴とする請求項５に記載のデジタル著作物保護システム。
【請求項９】
前記記録再生装置は、さらに、
コンテンツの購入の対価の支払いを示す支払情報を外部へ送信することによりコンテンツを購入するコンテンツ購入手段と、
購入したコンテンツを受信し、受信したコンテンツを前記内部記憶手段に書き込むコンテンツ受信手段と
を含むことを特徴とする請求項１に記載のデジタル著作物保護システム。
【請求項１０】
前記記録再生装置は、さらに、前記内部記憶手段に記録されているコンテンツが、前記第１暗号化手段によって前記タイトル鍵を用いて暗号化し、前記書込手段によって前記記録媒体装置に書き込むことを予め許諾されたコンテンツかどうかを判別するコンテンツ判別手段を含み、
前記第１暗号化手段は、前記コンテンツ判別手段により許諾されたコンテンツであると判断される場合に、暗号化し、
前記書込手段は、前記コンテンツ判別手段により許諾されたコンテンツであると判断される場合に、書き込む
ことを特徴とする請求項１に記載のデジタル著作物保護システム。
【請求項１１】
前記記録再生装置は、さらに、前記記録再生装置に装着された記録媒体装置が、前記内部記憶手段により記憶されているコンテンツを前記第１暗号化手段により前記タイトル鍵を用いて暗号化し、前記書込手段により前記記録媒体装置に書き込むことを予め許諾された記録媒体装置か否かを判別する記録媒体装置判別手段を含み、
前記第１暗号化手段は、前記記録媒体装置判別手段により許諾された記録媒体装置であると判断される場合に、暗号化し、
前記書込手段は、前記記録媒体装置判別手段により許諾された記録媒体装置であると判断される場合に、書き込む
ことを特徴とする請求項１に記載のデジタル著作物保護システム。
【請求項１２】
デジタル著作物であるコンテンツを着脱可能な記録媒体装置に記録し、再生する記録再生装置であって、
デジタル著作物であるコンテンツを記憶している内部記憶手段と、
前記記録再生装置自身に固有の機器固有情報を予め記憶しており、外部から情報を書き込むことが出来ないよう保護されている固有情報記憶手段と、
前記コンテンツ毎に固有の情報であるタイトル鍵を生成するタイトル鍵生成手段と、
前記内部記憶手段に記憶されているコンテンツを前記タイトル鍵を用いて暗号化して暗号化コンテンツを生成する第１暗号化手段と、
前記タイトル鍵を、前記固有情報記憶手段に記憶されている前記記録再生装置自身に固有の機器固有情報に基づいて暗号化して暗号化タイトル鍵を生成する第２暗号化手段と、
前記記録媒体装置が備える外部記憶領域に、前記機器固有情報を書き込むことなく、前記暗号化コンテンツおよび前記暗号化タイトル鍵を書き込む書込手段と、
前記記録媒体装置が備える前記外部記憶領域から前記暗号化コンテンツおよび前記暗号化タイトル鍵を読み出す読出手段と、
読み出された暗号化タイトル鍵を、前記固有情報記憶手段に記憶されている前記機器固有情報に基づいて復号して、復号タイトル鍵を生成する第１復号手段と、
前記暗号化コンテンツを前記復号タイトル鍵を用いて復号し、復号コンテンツを生成する復号手段と、
生成された前記復号コンテンツを再生する再生手段と
を備えることを特徴とする記録再生装置。
【請求項１３】
前記記録再生装置は、さらに、前記書込手段が前記暗号化タイトル鍵を前記外部記憶領域に書き込む前に、又は前記読出手段が前記外部記憶領域から暗号化タイトル鍵を読み出す前に、前記記録媒体装置が有する第２認証手段との間で相互に相手の装置の正当性を認証する第１認証手段を含み、
前記記録媒体装置は、さらに、前記記録再生装置が有する前記第１認証手段との間で相互に相手の装置の正当性を認証する前記第２認証手段を含み、
前記外部記憶領域は、第１記憶領域と、前記第１認証手段により相互の正当性が認証された場合のみ書込み、読み出しが可能な第２記憶領域とから構成され、
前記書込手段は、前記第１記憶領域に暗号化コンテンツを書き込み、第１認証手段により相互の正当性の認証がされた場合にのみ、前記第２記憶領域に暗号化タイトル鍵を書き込み、
前記読出手段は、前記第１記憶領域から暗号化コンテンツを読み出し、第１認証手段により相互の正当性の認証がされた場合にのみ、前記第２記憶領域から暗号化タイトル鍵を読み出す
ことを特徴とする請求項１２に記載の記録再生装置。
【請求項１４】
デジタル著作物であるコンテンツを着脱可能な記録媒体装置に記録し再生する記録再生装置において用いられる記録再生方法であって、
前記記録再生装置は、
デジタル著作物であるコンテンツを記憶している内部記憶手段と、
前記記録再生装置自身に固有の機器固有情報を予め記憶しており、外部から情報を書き込むことができないよう保護されている固有情報記憶手段とを備え、
前記記録再生方法は、
前記コンテンツ毎に固有の情報であるタイトル鍵を生成するタイトル鍵生成ステップと、
前記内部記憶手段に記憶されているコンテンツを前記タイトル鍵を用いて暗号化して暗号化コンテンツを生成する第１暗号化ステップと、
前記タイトル鍵を、前記固有情報記憶手段に記憶されている前記記録再生装置自身に固有の機器固有情報に基づいて暗号化して暗号化タイトル鍵を生成する第２暗号化ステップと、
前記記録媒体装置が備える外部記憶領域に、前記機器固有情報を書き込むことなく、前記暗号化コンテンツおよび前記暗号化タイトル鍵を書き込む書込ステップと、
前記記録媒体装置が備える前記外部記憶領域から、前記暗号化コンテンツおよび前記暗号化タイトル鍵を読み出す読出ステップと、
読み出された暗号化タイトル鍵を、前記固有情報記憶手段に記憶されている、記録再生装置自身に固有の前記機器固有情報を用いて復号して、復号タイトル鍵を生成する第１復号ステップと、
前記暗号化コンテンツを前記復号タイトル鍵を用いて復号し、復号コンテンツを生成する第２復号ステップと、
生成された前記復号コンテンツを再生する再生ステップとを含み、
前記記録媒体装置は、前記暗号化タイトル鍵および前記暗号化コンテンツを記憶するための前記外部記憶領域を備える
ことを特徴とする記録再生方法。
【請求項１５】
デジタル著作物であるコンテンツを着脱可能な記録媒体装置に記録し再生する記録再生装置において用いられる記録再生プログラムであって、
前記記録再生装置は、
デジタル著作物であるコンテンツを記憶している内部記憶手段と、
前記記録再生装置自身に固有の機器固有情報を予め記憶しており、外部から情報を書き込むことができないよう保護されている固有情報記憶手段とを備え、
前記記録再生プログラムは、
前記コンテンツ毎に固有の情報であるタイトル鍵を生成するタイトル鍵生成ステップと、
前記内部記憶手段に記憶されているコンテンツを前記タイトル鍵を用いて暗号化して暗号化コンテンツを生成する第１暗号化ステップと、
前記タイトル鍵を、前記固有情報記憶手段に記憶されている前記記録再生装置自身に固有の機器固有情報に基づいて暗号化して暗号化タイトル鍵を生成する第２暗号化ステップと、
前記記録媒体装置が備える外部記憶領域に、前記機器固有情報を書き込むことなく、前記暗号化コンテンツおよび前記暗号化タイトル鍵を書き込む書込ステップと、
前記記録媒体装置が備える前記外部記憶領域から、前記暗号化コンテンツおよび前記暗号化タイトル鍵を読み出す読出ステップと、
読み出された暗号化タイトル鍵を、前記固有情報記憶手段に記憶されている、記録再生装置自身に固有の前記機器固有情報を用いて復号して、復号タイトル鍵を生成する第１復号ステップと、
前記暗号化コンテンツを前記復号タイトル鍵を用いて復号し、復号コンテンツを生成する第２復号ステップと、
生成された前記復号コンテンツを再生する再生ステップとを含み、
前記記録媒体装置は、前記暗号化タイトル鍵および前記暗号化コンテンツを記憶するための前記外部記憶領域を備える
ことを特徴とする記録再生プログラム。
【請求項１６】
デジタル著作物であるコンテンツを着脱可能な記録媒体装置に記録し再生する記録再生装置において用いられる記録再生プログラムを記録しているコンピュータ読み取り可能なプログラム記録媒体であって、
前記記録再生装置は、
デジタル著作物であるコンテンツを記憶している内部記憶手段と、
前記記録再生装置自身に固有の機器固有情報を予め記憶しており、外部から情報を書き込むことができないよう保護されている固有情報記憶手段とを備え、
前記記録再生プログラムは、
前記コンテンツ毎に固有の情報であるタイトル鍵を生成するタイトル鍵生成ステップと、
前記内部記憶手段に記憶されているコンテンツを前記タイトル鍵を用いて暗号化して暗号化コンテンツを生成する第１暗号化ステップと、
前記タイトル鍵を、前記固有情報記憶手段に記憶されている前記記録再生装置自身に固有の機器固有情報に基づいて暗号化して暗号化タイトル鍵を生成する第２暗号化ステップと、
前記記録媒体装置が備える外部記憶領域に、前記機器固有情報を書き込むことなく、前記暗号化コンテンツおよび前記暗号化タイトル鍵を書き込む書込ステップと、
前記記録媒体装置が備える前記外部記憶領域から、前記暗号化コンテンツおよび前記暗号化タイトル鍵を読み出す読出ステップと、
読み出された暗号化タイトル鍵を、前記固有情報記憶手段に記憶されている、記録再生装置自身に固有の前記機器固有情報を用いて復号して、復号タイトル鍵を生成する第１復号ステップと、
前記暗号化コンテンツを前記復号タイトル鍵を用いて復号し、復号コンテンツを生成する第２復号ステップと、
生成された前記復号コンテンツを再生する再生ステップとを含み、
前記記録媒体装置は、前記暗号化タイトル鍵および前記暗号化コンテンツを記憶するための前記外部記憶領域を備える
ことを特徴とするプログラム記録媒体。
【発明の詳細な説明】
【０００１】
【発明の属する技術分野】
本発明は、デジタル著作物をネットワークを介して配信し、これを記録再生装置で受信し、記録媒体装置に記録し、記録再生装置で再生する技術に関する。
【０００２】
【従来の技術】
近年、デジタル化された文書、音楽、映像、プログラムなどのデジタル著作物がインターネットなどのネットワークを経由して流通し、利用者は、様々なデジタル著作物を簡単にネットワークを経由して取り出し、他の記録媒体に記録し、再生することができるようになってきている。
【０００３】
【発明が解決しようとする課題】
しかしながら、このように簡単にデジタル著作物を複製できるという利点はあるものの、著作者の著作権が侵害されやすいという問題点がある。
上記の問題点を解決するために、本発明は、記録再生装置の内部メモリに記録されたデジタル著作物を着脱可能な記録媒体装置に記録する際、前記記録媒体装置に記録されたデジタル著作物が、記録時に利用した前記記録再生装置以外の装置で再生されることを防止するデジタル著作物保護システム、記録再生装置、記録媒体装置、機種変更装置、記録再生方法、記録再生プログラム及び記録再生プログラムを記録しているプログラム記録媒体を提供することを目的とする。
【０００４】
【課題を解決するための手段】
上記目的を達成するために、本発明は、デジタル著作物を記録し、再生するデジタル著作物保護システムであって、記録再生装置と、可搬型の記録媒体装置とを含み、前記記録媒体装置は、情報を記憶するための外部記憶領域を備え、前記記録再生装置に装着され、前記記録再生装置は、デジタル著作物であるコンテンツを記憶している内部記憶手段と、前記記録再生装置に固有の機器固有情報を予め記憶している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を前記記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備えることを特徴とする。
【０００５】
ここで、前記暗号化手段は、前記機器固有情報を鍵として用いて、前記コンテンツを暗号化して暗号化情報を生成し、前記復号手段は、前記機器固有情報を鍵として用いて、読み出された前記暗号化情報を復号するように構成してもよい。
ここで、前記記録再生装置は、さらに、前記コンテンツの利用の許諾に係る利用条件情報を記憶している条件記憶手段と、前記利用条件情報に基づいて前記コンテンツの利用が許諾されるか否かを判定する条件判定手段とを含むように構成してもよい。
【０００６】
ここで、前記固有情報記憶手段及び条件記憶手段は、それぞれ前記機器固有情報及び前記利用条件情報の読み書きが特別に許諾された装置以外では、外部に読み出したり、外部から書き込みできないように、保護されているように構成してもよい。
ここで、前記暗号化手段は、前記コンテンツに固有のタイトル鍵を生成し、前記機器固有情報を鍵として用いて、生成したタイトル鍵を暗号化して暗号化タイトル鍵を生成し、生成した前記タイトル鍵を鍵として用いて、前記コンテンツを暗号化して暗号化コンテンツを生成し、前記暗号化タイトル鍵と前記暗号化コンテンツとから構成される暗号化情報を生成し、前記書込手段は、前記暗号化タイトル鍵と前記暗号化コンテンツとから構成される暗号化情報を前記記録媒体装置が備える前記外部記憶領域に書き込み、前記読出手段は、前記暗号化タイトル鍵と前記暗号化コンテンツとから構成される暗号化情報を前記記録媒体装置が備える前記外部記憶領域から読み出し、前記復号手段は、前記機器固有情報を鍵として用いて、読み出した暗号化情報に含まれる前記暗号化タイトル鍵を復号して復号タイトル鍵を生成し、生成した復号タイトル鍵を鍵として用いて、読み出した暗号化情報に含まれる前記暗号化コンテンツを復号して復号コンテンツを生成し、前記記録媒体装置は、前記暗号化タイトル鍵と前記暗号化コンテンツとから構成される暗号化情報を記憶するための前記外部記憶領域を備えるように構成してもよい。
【０００７】
ここで、前記記録再生装置は、さらに、前記書込手段が前記暗号化情報を前記外部記憶領域に書き込む前に、又は前記読出手段が前記外部記憶領域から暗号化情報を読み出す前に、前記記録媒体装置が有する第２認証手段との間で相互に相手の装置の正当性を認証する第１認証手段を含み、前記記録媒体装置は、さらに、前記記録再生装置が有する前記第１認証手段との間で相互に相手の装置の正当性を認証する前記第２認証手段を含み、前記外部記憶領域は、第１記憶領域と前記第１認証手段により相互の正当性が認証された場合のみ書込み及び読出しが可能な第２記憶領域とから構成され、前記書込手段は、前記第１記憶領域に暗号化コンテンツを書き込み、第１認証手段により相互の正当性の認証がされた場合にのみ、前記第２記憶領域に暗号化タイトル鍵を書き込み、前記読出手段は、前記第１記憶領域から暗号化コンテンツを読み出し、第１認証手段により相互の正当性の認証がされた場合にのみ、前記第２記憶領域から暗号化タイトル鍵を読み出すように構成してもよい。
【０００８】
ここで、前記記録再生装置は、さらに、前記コンテンツの利用の許諾に係る利用条件情報を記憶している条件記憶手段と、前記利用条件情報に基づいて前記コンテンツの利用が許諾されるか否かを判定する条件判定手段とを含むように構成してもよい。
ここで、前記書込手段は、第１認証手段により相互の正当性が認証された場合にのみ、前記条件記憶手段から前記利用条件情報を読み出し、読み出した前記利用条件情報を前記第２記憶領域に書き込み、前記読出手段は、第１認証手段により相互の正当性が認証された場合にのみ、前記第２記憶領域から前記利用条件情報を読み出し、読み出した前記利用条件情報を前記条件記憶手段に書き込み、前記条件判定手段は、前記利用条件情報に基づいて前記コンテンツの利用が許諾されるか否かを判定するように構成してもよい。
【０００９】
ここで、前記条件記憶手段に記憶されている前記利用条件情報は、前記コンテンツの再生回数を示し、前記コンテンツの再生期間を示し、前記コンテンツの再生累積時間を示し、前記コンテンツのコピー可能回数を示し、又は前記コンテンツの移動可能回数を示し、前記条件判定手段は、前記再生手段により再生される前記コンテンツの回数が前記再生回数以内である場合、前記再生手段により前記コンテンツが再生される日時が、前記再生期間内である場合、又は前記再生手段により前記コンテンツが再生される累積の時間が、前記累積時間以内である場合、前記コンテンツを再生すると判定し、その他の場合、再生しないと判定し、また前記コンテンツのコピー可能回数が１以上の場合、記録媒体装置へのコピーが可能と判定し、その他の場合、コピーが不可能と判定し、前記コンテンツの移動可能回数が１以上の場合、記録媒体装置への移動が可能と判定し、その他の場合、移動が不可能と判定するように構成してもよい。
【００１０】
ここで、前記固有情報記憶手段及び前記条件記憶手段は、それぞれ前記機器固有情報及び前記利用条件情報の読み書きが特別に許諾された装置以外では、外部に読み出したり、外部から書き込みできないように、保護されているように構成してもよい。
ここで、前記記録再生装置は、さらに、前記記録媒体装置が前記第２認証手段を含むか否かを判定する認証判定手段を含み、前記暗号化手段は、さらに、前記記録媒体装置が前記第２認証手段を含まないと判定される場合に、前記機器固有情報を鍵として用いて、前記コンテンツを暗号化して暗号化情報を生成し、前記書込手段は、さらに、前記記録媒体装置が前記第２認証手段を含まないと判定される場合に、生成された暗号化情報を前記記録媒体装置が備える外部記憶領域に書き込み、前記読出手段は、さらに、前記記録媒体装置が前記第２認証手段を含まないと判定される場合に、前記記録媒体装置が備える前記外部記憶領域から暗号化情報を読み出し、前記復号手段は、さらに、前記記録媒体装置が前記第２認証手段を含まないと判定される場合に、前記機器固有情報を鍵として用いて、読み出された前記暗号化情報を復号するように構成してもよい。
【００１１】
ここで、前記記録再生装置は、さらに、コンテンツの購入の対価の支払いを示す支払情報を外部へ送信することによりコンテンツを購入するコンテンツ購入手段と、購入したコンテンツを受信し、受信したコンテンツを前記内部記憶手段に書き込むコンテンツ受信手段とを含むように構成してもよい。
ここで、前記記録再生装置は、さらに、前記内部記憶手段に記録されているコンテンツが、前記暗号化手段によって前記機器固有情報に基づいて暗号化し、前記書込手段によって前記記録媒体装置に書き込むことを予め許諾されたコンテンツかどうかを判別するコンテンツ判別手段を含み、前記暗号化手段は、前記コンテンツ判別手段により許諾されたコンテンツであると判断される場合に、暗号化し、前記書込手段は、前記コンテンツ判別手段により許諾されたコンテンツであると判断される場合に、書き込むように構成してもよい。
【００１２】
ここで、前記記録再生装置は、さらに、前記記録再生装置に装着された記録媒体装置が、前記内部記憶手段により記憶されているコンテンツを前記暗号化手段により前記機器固有情報に基づいて暗号化し、前記書込手段により前記記録媒体装置に書き込むことを予め許諾された記録媒体装置か否かを判別する記録媒体装置判別手段を含み、前記暗号化手段は、前記記録媒体装置判別手段により許諾された記録媒体装置であると判断される場合に、暗号化し、前記書込手段は、前記記録媒体装置判別手段により許諾された記録媒体装置であると判断される場合に、書き込むように構成してもよい。
【００１３】
ここで、前記記録媒体装置は、さらに、当該記録媒体装置に固有の媒体固有情報を予め記憶しており、前記内部記憶手段は、記録再生装置に固有の機器固有情報に基づいて前記コンテンツを暗号化するか、又は記録媒体装置に固有の媒体固有情報に基づいて前記コンテンツを暗号化するか示す固有情報種別を、前記コンテンツに対応付けて、記憶しており、前記記録再生装置は、さらに、前記内部記憶手段が記憶している固有情報種別に基づいて、機器固有情報に基づいて暗号化するか、又は媒体固有情報に基づいて暗号化するかを判断する固有情報判別手段を含み、前記暗号化手段は、前記固有情報判別手段により、機器固有情報に基づいて暗号化すると判断された場合に、前記コンテンツを、前記機器固有情報に基づいて暗号化し、さらに、前記固有情報判別手段により、媒体固有情報に基づいて暗号化すると判断された場合に、前記記録媒体装置から前記媒体固有情報を読み出し、読み出した前記媒体固有情報に基づいて、前記内部記憶手段に記憶されている前記コンテンツを、暗号化して暗号化情報を生成し、前記復号手段は、前記固有情報判別手段により、機器固有情報に基づいて暗号化すると判断された場合に、読み出された前記暗号化情報を、前記機器固有情報に基づいて復号し、さらに、前記固有情報判別手段により、媒体固有情報に基づいて暗号化すると判断された場合に、前記記録媒体装置から前記媒体固有情報を読み出し、読み出した前記媒体固有情報に基づいて、読み出された前記暗号化情報を復号して、復号コンテンツを生成するように構成してもよい。
【００１４】
また、本発明は、デジタル著作物であるコンテンツを着脱可能な記録媒体装置に記録し、再生する記録再生装置であって、デジタル著作物であるコンテンツを記憶している内部記憶手段と、前記記録再生装置に固有の機器固有情報を予め記憶している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を前記記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備えるように構成してもよい。
【００１５】
ここで、前記暗号化手段は、前記機器固有情報を鍵として用いて、前記コンテンツを暗号化して暗号化情報を生成し、前記復号手段は、前記機器固有情報を鍵として用いて、読み出された前記暗号化情報を復号するように構成してもよい。
ここで、前記暗号化手段は、前記コンテンツに固有のタイトル鍵を生成し、前記機器固有情報を鍵として用いて、生成したタイトル鍵を暗号化して暗号化タイトル鍵を生成し、生成した前記タイトル鍵を鍵として用いて、前記コンテンツを暗号化して暗号化コンテンツを生成し、前記暗号化タイトル鍵と前記暗号化コンテンツとから構成される暗号化情報を生成し、前記書込手段は、前記暗号化タイトル鍵と前記暗号化コンテンツとから構成される暗号化情報を前記記録媒体装置が備える前記外部記憶領域に書き込み、前記読出手段は、前記暗号化タイトル鍵と前記暗号化コンテンツとから構成される暗号化情報を前記記録媒体装置が備える前記外部記憶領域から読み出し、前記復号手段は、前記機器固有情報を鍵として用いて、読み出した暗号化情報に含まれる前記暗号化タイトル鍵を復号して復号タイトル鍵を生成し、生成した復号タイトル鍵を鍵として用いて、読み出した暗号化情報に含まれる前記暗号化コンテンツを復号して復号コンテンツを生成するように構成してもよい。
【００１６】
ここで、前記記録再生装置は、さらに、前記書込手段が前記暗号化情報を前記外部記憶領域に書き込む前に、又は前記読出手段が前記外部記憶領域から暗号化情報を読み出す前に、前記記録媒体装置が有する第２認証手段との間で相互に相手の装置の正当性を認証する第１認証手段を含み、前記記録媒体装置は、さらに、前記記録再生装置が有する前記第１認証手段との間で相互に相手の装置の正当性を認証する前記第２認証手段を含み、前記外部記憶領域は、第１記憶領域と、前記第１認証手段により相互の正当性が認証された場合のみ書込み、読み出しが可能な第２記憶領域とから構成され、前記書込手段は、前記第１記憶領域に暗号化コンテンツを書き込み、第１認証手段により相互の正当性の認証がされた場合にのみ、前記第２記憶領域に暗号化タイトル鍵を書き込み、前記読出手段は、前記第１記憶領域から暗号化コンテンツを読み出し、第１認証手段により相互の正当性の認証がされた場合にのみ、前記第２記憶領域から暗号化タイトル鍵を読み出すように構成してもよい。
【００１７】
また、本発明は、記録再生装置に着脱可能な記録媒体装置であって、暗号化情報を記憶するための外部記憶領域を備え、前記記録再生装置は、デジタル著作物であるコンテンツを記憶している内部記憶手段と、前記記録再生装置に固有の機器固有情報を予め記憶している固有情報記憶手段と、前記内部記憶手段に記憶されている前記コンテンツを、前記固有情報記憶手段に記憶されている前記機器固有情報に基づいて暗号化して前記暗号化情報を生成する暗号化手段と、生成された前記暗号化情報を前記記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備えることを特徴とする。
【００１８】
ここで、前記暗号化手段は、前記機器固有情報を鍵として用いて、前記コンテンツを暗号化して暗号化情報を生成し、前記復号手段は、前記機器固有情報を鍵として用いて、読み出された前記暗号化情報を復号するように構成してもよい。
ここで、前記暗号化手段は、前記コンテンツに固有のタイトル鍵を生成し、前記機器固有情報を鍵として用いて、生成したタイトル鍵を暗号化して暗号化タイトル鍵を生成し、生成した前記タイトル鍵を鍵として用いて、前記コンテンツを暗号化して暗号化コンテンツを生成し、前記暗号化タイトル鍵と前記暗号化コンテンツとから構成される暗号化情報を生成し、前記書込手段は、前記暗号化タイトル鍵と前記暗号化コンテンツとから構成される暗号化情報を前記記録媒体装置が備える前記外部記憶領域に書き込み、前記読出手段は、前記暗号化タイトル鍵と前記暗号化コンテンツとから構成される暗号化情報を前記記録媒体装置が備える前記外部記憶領域から読み出し、前記復号手段は、前記機器固有情報を鍵として用いて、読み出した暗号化情報に含まれる前記暗号化タイトル鍵を復号して復号タイトル鍵を生成し、生成した復号タイトル鍵を鍵として用いて、読み出した暗号化情報に含まれる前記暗号化コンテンツを復号して復号コンテンツを生成し、前記記録媒体装置は、前記暗号化タイトル鍵と前記暗号化コンテンツとから構成される暗号化情報を記憶するための前記外部記憶領域を備えるように構成してもよい。
【００１９】
ここで、前記記録再生装置は、さらに、前記書込手段が前記暗号化情報を前記外部記憶領域に書き込む前に、又は前記読出手段が前記外部記憶領域から暗号化情報を読み出す前に、前記記録媒体装置が有する第２認証手段との間で相互に相手の装置の正当性を認証する第１認証手段を含み、前記記録媒体装置は、さらに、前記記録再生装置が有する前記第１認証手段との間で相互に相手の装置の正当性を認証する前記第２認証手段を含み、前記外部記憶領域は、第１記憶領域と、前記第１認証手段により相互の正当性が認証された場合のみ書込み、読出しが可能な第２記憶領域とから構成され、前記書込手段は、前記第１記憶領域に暗号化コンテンツを書き込み、第１認証手段により相互の正当性の認証がされた場合にのみ、前記第２記憶領域に暗号化タイトル鍵を書き込み、前記読出手段は、前記第１記憶領域から暗号化コンテンツを読み出し、第１認証手段により相互の正当性の認証がされた場合にのみ、前記第２記憶領域から暗号化タイトル鍵を読み出すように構成してもよい。
【００２０】
また、本発明は、利用者とサービス提供業者との間の契約により利用が許可された第１記録再生装置を、契約変更により第２記録再生装置に変更する機種変更装置であって、前記第１記録再生装置は、デジタル著作物であるコンテンツを記憶している第１内部記憶手段と、前記第１記録再生装置に固有の機器固有情報を予め記憶している第１固有情報記憶手段と、前記第１内部記憶手段に記憶されている前記コンテンツを、前記第１固有情報記憶手段に記憶されている前記機器固有情報に基づいて暗号化して暗号化情報を生成する第１暗号化手段と、生成された暗号化情報を記録媒体装置が備える外部記憶領域に書き込む第１書込手段と、前記記録媒体装置が備える前記外部記憶領域から暗号化情報を読み出す第１読出手段と、読み出された暗号化情報を、前記第１固有情報記憶手段に記憶されている前記機器固有情報に基づいて復号して、復号コンテンツを生成する第１復号手段と、生成された前記復号コンテンツを再生する第１再生手段とを備え、前記記録媒体装置は、前記暗号化情報を記憶するための前記外部記憶領域を備え、前記第２記録再生装置は、デジタル著作物であるコンテンツを記憶するための領域を備えている第２内部記憶手段と、機器固有情報を記憶するための領域を備えている第２固有情報記憶手段と、前記第２内部記憶手段に記憶される前記コンテンツを、前記第２固有情報記憶手段に記憶される前記機器固有情報に基づいて暗号化して暗号化情報を生成する第２暗号化手段と、生成された暗号化情報を記録媒体装置が備える外部記憶領域に書き込む第２書込手段と、前記記録媒体装置が備える前記外部記憶領域から暗号化情報を読み出す第２読出手段と、読み出された暗号化情報を、前記第２固有情報記憶手段に記憶されている前記機器固有情報に基づいて復号して、復号コンテンツを生成する第２復号手段と、生成された前記復号コンテンツを再生する第２再生手段とを備え、前記機種変更装置は、前記第１固有情報記憶手段に記憶されている機器固有情報を読み出し、前記第１固有情報記憶手段に記憶されている機器固有情報を削除する第３読出手段と、読み出した前記機器固有情報を前記第２固有情報記憶手段に書き込む第３書込手段とを備えることを特徴とする。
【００２１】
ここで、前記第１記録再生装置は、さらに、前記コンテンツの利用の許諾に係る利用条件情報を記憶している第１条件記憶手段と、前記第１条件記憶手段に記憶されている前記利用条件情報に基づいて前記コンテンツの利用が許諾されているか否かを判定する第１条件判定手段とを含み、前記第２記録再生装置は、さらに、前記コンテンツの利用の許諾に係る利用条件情報を記憶するための領域を備えている第２条件記憶手段と、前記第２条件記憶手段に記憶される前記利用条件情報に基づいて、前記第２内部記憶手段に記憶される前記コンテンツの利用が許諾されているか否かを判定する第２条件判定手段とを含み、前記第３読出手段は、さらに、前記第１条件記憶手段に記憶されている前記利用条件情報を読み出し、前記第１条件記憶手段に記憶されている前記利用条件情報を削除し、前記第３書込手段は、読み出された前記利用条件情報を、前記第２条件記憶手段に書き込むように構成してもよい。
【００２２】
ここで、前記第１記録再生装置及び前記第２記録再生装置は、それぞれ、前記機種変更装置に、ネットワークを介して、接続されており、前記第３読出手段は、ネットワークを介して、前記第１固有情報記憶手段に記憶されている機器固有情報を読み出し、前記第１固有情報記憶手段に記憶されている機器固有情報を削除し、前記第３書込手段は、読み出した前記機器固有情報を、ネットワークを介して、前記第２固有情報記憶手段に書き込むように構成してもよい。
【００２３】
また、本発明は、利用者とサービス提供業者との間の契約により利用が許可された記録再生装置を解約する機種変更装置であって、前記記録再生装置は、デジタル著作物であるコンテンツを記憶している内部記憶手段と、前記記録再生装置に固有の機器固有情報及び前記契約に係る契約情報を予め記憶しており、前記機器固有情報は、前記契約情報から独立している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備え、前記記録媒体装置は、前記暗号化情報を記憶するための前記外部記憶領域を備え、前記機種変更装置は、前記固有情報記憶手段に記憶されている契約情報を読み出す読出手段と、読み出した前記契約情報に係る契約を解約処理する解約手段とを備えることを特徴とする。
【００２４】
また、本発明は、利用者と第１サービス提供業者との間で締結された記録再生装置の利用に係る第１契約を、前記利用者と第２サービス提供業者との間の第２契約に変更する機種変更装置であって、前記記録再生装置は、デジタル著作物であるコンテンツを記憶している内部記憶手段と、前記記録再生装置に固有の機器固有情報及び前記第１契約に係る第１契約情報を記憶しており、前記機器固有情報は、前記第１契約情報から独立している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備え、前記記録媒体装置は、前記暗号化情報を記憶するための前記外部記憶領域を備え、前記機種変更装置は、前記固有情報記憶手段に記憶されている第１契約情報を読み出す読出手段と、読み出した前記第１契約情報に係る第１契約を解約処理し、前記第２契約の締結処理をし、前記第２契約に係る第２契約情報を生成する契約変更解約手段と、生成された第２契約情報を前記固有情報記憶手段に書き込み、前記固有情報記憶手段に記憶されている第１契約情報を削除する書込手段とを備えることを特徴とする。
【００２５】
また、本発明は、利用者とサービス提供業者との間の契約により利用が許可された第１記録再生装置を、契約変更により第２記録再生装置に変更する機種変更方法であって、前記第１記録再生装置は、デジタル著作物であるコンテンツを記憶している第１内部記憶手段と、前記第１記録再生装置に着脱可能であり、前記利用者に固有の機器固有情報を予め記憶している第１固有情報記憶手段と、前記第１内部記憶手段に記憶されている前記コンテンツを、前記第１固有情報記憶手段に記憶されている前記機器固有情報に基づいて暗号化して暗号化情報を生成する第１暗号化手段と、生成された暗号化情報を記録媒体装置が備える外部記憶領域に書き込む第１書込手段と、前記記録媒体装置が備える前記外部記憶領域から暗号化情報を読み出す第１読出手段と、読み出された暗号化情報を、前記第１固有情報記憶手段に記憶されている前記機器固有情報に基づいて復号して、復号コンテンツを生成する第１復号手段と、生成された前記復号コンテンツを再生する第１再生手段とを備え、前記記録媒体装置は、前記暗号化情報を記憶するための前記外部記憶領域を備え、前記機種変更方法は、前記第１記録再生装置から前記第１固有情報記憶手段を抜き出すステップと、抜き出した前記第１固有情報記憶手段を前記第２記録再生装置に装着するステップとを含み、前記第２記録再生装置は、デジタル著作物であるコンテンツを記憶するための領域を備えている第２内部記憶手段と、前記第２内部記憶手段に記憶される前記コンテンツを、前記第１固有情報記憶手段に記憶される前記機器固有情報に基づいて暗号化して暗号化情報を生成する第２暗号化手段と、生成された暗号化情報を記録媒体装置が備える外部記憶領域に書き込む第２書込手段と、前記記録媒体装置が備える前記外部記憶領域から暗号化情報を読み出す第２読出手段と、読み出された暗号化情報を、前記第１固有情報記憶手段に記憶されている前記機器固有情報に基づいて復号して、復号コンテンツを生成する第２復号手段と、生成された前記復号コンテンツを再生する第２再生手段とを備えることを特徴とする。
【００２６】
【発明の実施の形態】
１．実施の形態１
本発明に係る実施の形態１としてのデジタル著作物配信システム１００について説明する。
デジタル著作物配信システム１００は、携帯電話等の記録再生装置の内部メモリに記録されたデジタル著作物（例えば、着メロ、待受画面等）を着脱可能な記録媒体装置に記録する際、着脱可能な記録媒体装置に記録されたデジタル著作物が、記録時に利用した記録再生装置以外で再生されることを防止するデジタル著作物保護システム、記録再生装置、及び記録媒体装置を提供することを目的とする。
【００２７】
１．１  デジタル著作物配信システム１００の構成
デジタル著作物配信システム１００は、図１のブロック図に示すように、コンテンツ配信用サーバ装置２００、インターネット１０、ゲートウェイ装置４０、携帯電話網２０、無線基地局３０、携帯電話３００及びメモリカード４００から構成されている。
【００２８】
コンテンツ配信用サーバ装置２００は、インターネット１０及び携帯電話網２０を介して、無線基地局３０と接続されている。無線基地局３０は、電波により、携帯電話３００との間で情報の送受信を行う。ここで、ゲートウェイ装置４０は、インターネット１０及び携帯電話網２０を接続しており、インターネット１０と携帯電話網２０との間で通信プロトコルの変換を行う。
【００２９】
コンテンツ配信用サーバ装置２００は、携帯電話３００の利用者の操作により、一例として音楽のデジタル著作物であるコンテンツを、インターネット１０、携帯電話網２０、無線基地局３０を介して、携帯電話３００へ送信し、携帯電話３００は、コンテンツを受信し、携帯電話３００に装着されているメモリカード４００へ受信したコンテンツを暗号化して書き込む。また、携帯電話３００は、利用者の操作により、メモリカード４００へ書き込まれた暗号化コンテンツを読み出して復号し、復号したコンテンツを再生する。
【００３０】
１．２  コンテンツ配信用サーバ装置２００の構成
コンテンツ配信用サーバ装置２００は、図２のブロック図に示すように、コンテンツ記憶部２０１、制御部２０２及び送受信部２０３から構成されている。
コンテンツ配信用サーバ装置２００は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、コンテンツ配信用サーバ装置２００は、その機能を達成する。
【００３１】
コンテンツ記憶部２０１は、一例として、携帯電話用の着信メロディである音楽のデジタル著作物であるコンテンツ６００を予め記憶している。ここで、着信メロディとは、携帯電話への着信を利用者に知らせるために再生される音楽である。なお、前記コンテンツは、例えば、携帯電話向けの待ち受け画面、カラオケデータ、Ｊａｖａ（登録商標）により作成されたゲームプログラム等などであるとしてもよい。
【００３２】
制御部２０２は、携帯電話３００から、無線基地局３０、携帯電話網２０、インターネット１０、送受信部２０３を介して、コンテンツＩＤ及び支払情報を受け取る。このとき、携帯電話３００とコンテンツ配信用サーバ装置２００との間では、セキュアな認証通信プロトコル、例えば、ＳＳＬ（Ｓｅｃｕｒｅ  Ｓｏｃｋｅｔ  Ｌａｙｅｒ）プロトコル等を利用して、コンテンツＩＤ及び支払情報は、安全に伝送されるものとする。ここで、コンテンツＩＤは、利用者が購入を希望するコンテンツを識別する識別子であり、支払情報は、前記コンテンツを購入する代金の支払いを示す情報である。コンテンツＩＤ及び支払情報を受け取ると、制御部２０２は、支払情報に基づいて入金処理を行う。
【００３３】
次に、制御部２０２は、受け取ったコンテンツＩＤにより識別されるコンテンツをコンテンツ記憶部２０１から読み出し、読み出したコンテンツを、送受信部２０３、インターネット１０、携帯電話網２０及び無線基地局３０を介して、携帯電話３００へ送信する。このとき、コンテンツ配信用サーバ装置２００から携帯電話３００へは、セキュアなコンテンツ配信方式、例えば、ＥＭＭＳ（Ｅｌｅｃｔｒｏｎｉｃ  Ｍｕｓｉｃ  Ｍａｎａｇｅｍｅｎｔ  Ｓｙｓｔｅｍ）方式により、コンテンツが安全に伝送されるものとする。
【００３４】
送受信部２０３は、インターネット１０を介して接続された外部の装置との間で情報の送受信を行う。
１．３  メモリカード４００の構成
メモリカード４００は、図３に示すように、外部記憶部４１０を有しており、外部記憶部４１０は、各種の情報を記憶するための領域を備えている。
【００３５】
メモリカード４００は、利用者により携帯電話３００に装着され、携帯電話３００により、各種の情報が外部記憶部４１０へ書き込まれ、また、外部記憶部４１０に書き込まれた各種情報が携帯電話３００により読み出される。
１．４  携帯電話３００の構成
携帯電話３００は、図３に示すように、アンテナ３６７、送受信部３６１、音声制御部３６２、スピーカ３６３、マイク３６４、入力部３６５、制御部３６６、表示部３６８、コンテンツ購入部３０１、コンテンツ取得部３０２、内部記憶部３０３、再生部３０４、固有情報記憶部３１０、書込部３３０、読出部３５０及び暗号復号部３８０を備えている。また、暗号復号部３８０は、暗号部３２０と復号部３４０とを含む。
【００３６】
携帯電話３００は、具体的には、マイクロプロセッサ、ＲＯＭ、ＲＡＭ、液晶ディスプレィユニット、テンキー、その他のユニットなどから構成される。前記ＲＡＭには、コンピュータプログラムが記憶されている。前記マイクロプロセッサが、前記コンピュータプログラムに従って動作することにより、携帯電話３００は、その一部の機能を達成する。
【００３７】
（１）アンテナ３６７、送受信部３６１、音声制御部３６２、スピーカ３６３、マイク３６４、入力部３６５、制御部３６６及び表示部３６８
アンテナ３６７は、無線電波を送信し、また受信する。
送受信部３６１は、携帯電話網２０、無線基地局３０及びアンテナ３６７を介して、他の携帯電話と音声制御部３６２との間で、音声情報などの各種の情報の送受信を行う。また、送受信部３６１は、インターネット１０、携帯電話網２０、無線基地局３０及びアンテナ３６７を介して、コンテンツ配信用サーバ装置２００とコンテンツ購入部３０１との間で、またコンテンツ配信用サーバ装置２００とコンテンツ取得部３０２との間で、各種の情報の送受信を行う。
【００３８】
音声制御部３６２は、他の携帯電話から受信した音声情報をアナログの電気信号に変換してスピーカ３６３へ出力する。また、マイク３６４から受け取ったアナログの電気信号を音声情報に変換し、他の携帯電話へ出力する。
スピーカ３６３は、アナログの電気信号を音声に変換して出力し、マイク３６４は、音声をアナログの電気信号に変換して音声制御部３６２へ出力する。
【００３９】
入力部３６５は、テンキーその他のキーを備え、利用者から各種の操作の入力を受け付ける。
制御部３６６は、携帯電話３００を構成する各構成要素の動作を制御する。
表示部３６８は、液晶ディスプレィユニットから構成され、各種情報を表示する。
【００４０】
（２）固有情報記憶部３１０
固有情報記憶部３１０は、後述する機種変更装置のように特別に許諾された装置以外では、外部から読み出したり書き込んだりできないにように、保護された半導体メモリから構成され、固有情報を予め記憶している。
ここで、固有情報は、携帯電話３００に固有の情報であり、例えば、携帯電話３００に割り当てられた電話番号、ランダム生成し割り当てられた乱数値などとする。
【００４１】
（３）内部記憶部３０３
内部記憶部３０３は、外部から読み書きが不可能な半導体メモリから構成され、コンテンツ配信用サーバ装置２００から受信したコンテンツを記憶するための領域を備えている。
（４）コンテンツ購入部３０１
コンテンツ購入部３０１は、入力部３６５から、利用者が購入を希望するコンテンツを識別するコンテンツＩＤを受け取り、前記コンテンツを購入する際に必要な代金の支払いを示す支払情報を生成し、前記コンテンツＩＤと、前記支払情報とを、送受信部３６１、アンテナ３６７、無線基地局３０、携帯電話網２０及びインターネット１０を介して、コンテンツ配信用サーバ装置２００へ送信する。
【００４２】
ここで、携帯電話３００とコンテンツ配信用サーバ装置２００との間で、ＳＳＬプロトコル等の利用により、コンテンツＩＤと支払情報は、安全に伝送される。
（５）コンテンツ取得部３０２
コンテンツ取得部３０２は、コンテンツ配信用サーバ装置２００から、インターネット１０、携帯電話網２０、無線基地局３０、アンテナ３６７及び送受信部３６１を介して、コンテンツを受け取り、受け取ったコンテンツを内部記憶部３０３へコンテンツ６０１として書き込む。
【００４３】
ここで、コンテンツ配信用サーバ装置２００から携帯電話３００へ、ＥＭＭＳ方式等の利用によりコンテンツは安全に伝送される。
（６）再生部３０４
再生部３０４は、入力部３６５が受け付けた利用者の再生指示に基づいて、内部記憶部３０３からコンテンツ６０１を読み出し、読み出したコンテンツを再生して出力する。
【００４４】
ここで、読み出したコンテンツが音楽のデジタル著作物である場合には、再生部３０４は、コンテンツをアナログの電気信号に変換し、生成した電気信号をスピーカ３６３へ出力する。
また、読み出したコンテンツが携帯電話向けの待ち受け画面である場合には、再生部３０４は、コンテンツを画素情報に変換し、生成した画素情報を表示部３６８へ出力する。
【００４５】
このように、再生部３０４は、コンテンツの種類に応じた処理を行う。
（７）暗号部３２０
暗号部３２０は、入力部３６５が受け付けた利用者によるコンテンツの書込指示に基づいて、内部記憶部３０３からコンテンツ６０１を読み出し、固有情報記憶部３１０から固有情報を読み出す。
【００４６】
次に、暗号部３２０は、読み出した固有情報を鍵として用いて、読み出したコンテンツに暗号アルゴリズムＥ１を施して、暗号化コンテンツを生成し、生成した暗号化コンテンツを書込部３３０へ出力する。
ここで、暗号アルゴリズムＥ１は、一例として、ＤＥＳ（Ｄａｔａ  Ｅｎｃｒｙｐｔｉｏｎ  Ｓｔａｎｄａｒｄ）によるアルゴリズムである。
【００４７】
なお、図３において、各ブロックは、接続線により他のブロックと接続されている。ただし、一部の接続線を省略している。ここで、各接続線は、信号や情報が伝達される経路を示している。また、暗号部３２０を示すブロックに接続している複数の接続線のうち、接続線上に鍵マークが付されているものは、暗号部３２０へ鍵としての情報が伝達される経路を示している。復号部３４０を示すブロックについても同様である。また、他の図面についても同様である。
【００４８】
（８）書込部３３０
書込部３３０は、暗号部３２０から暗号化コンテンツを受け取り、受け取った暗号化コンテンツをメモリカード４００の外部記憶部４１０に暗号化コンテンツ６０２として書き込む。
（９）読出部３５０
読出部３５０は、入力部３６５が受け付けた利用者によるコンテンツの読出指示に基づいて、メモリカード４００の外部記憶部４１０から暗号化コンテンツ６０２を読み出し、読み出した暗号化コンテンツを復号部３４０へ出力する。
【００４９】
（１０）復号部３４０
復号部３４０は、読出部３５０から暗号化コンテンツを受け取り、固有情報記憶部３１０から固有情報を読み出す。
次に、復号部３４０は、読み出した固有情報を鍵として用いて、受け取った暗号化コンテンツに復号アルゴリズムＤ１を施して、コンテンツを生成し、生成したコンテンツを内部記憶部３０３へ書き込む。
【００５０】
ここで、復号アルゴリズムＤ１は、暗号アルゴリズムＥ１の逆変換を行うアルゴリズムであり、一例として、ＤＥＳによるアルゴリズムである。
１．５  デジタル著作物配信システム１００の動作
デジタル著作物配信システム１００の動作について、図４に示すフローチャートを用いて説明する。
【００５１】
携帯電話３００のコンテンツ購入部３０１は、入力部３６５からコンテンツＩＤを受け取り、支払情報を生成し（ステップＳ１０１）、前記コンテンツＩＤ及び前記支払情報をコンテンツ配信用サーバ装置２００へ、例えば、ＳＳＬプロトコルを利用して安全に、送信する（ステップＳ１０２）。
コンテンツ配信用サーバ装置２００の制御部２０２は、携帯電話３００から、コンテンツＩＤ及び支払情報を受け取り（ステップＳ１０２）、次に、受け取った支払情報に基づいて入金処理を行い（ステップＳ１０３）、受け取ったコンテンツＩＤにより識別されるコンテンツをコンテンツ記憶部２０１から読み出し（ステップＳ１０４）、読み出したコンテンツを携帯電話３００へ、例えば、ＥＭＭＳ方式を利用して安全に、送信する（ステップＳ１０５）。
【００５２】
携帯電話３００のコンテンツ取得部３０２は、コンテンツ配信用サーバ装置２００からコンテンツを受け取り（ステップＳ１０５）、受け取ったコンテンツを内部記憶部３０３へコンテンツ６０１として書き込む（ステップＳ１０６）。
入力部３６５からコンテンツの書込指示を受け取ると（ステップＳ１０７）、暗号部３２０は、内部記憶部３０３からコンテンツ６０１を読み出し（ステップＳ１０８）、固有情報記憶部３１０から固有情報を読み出す（ステップＳ１０９）。次に、暗号部３２０は、読み出した固有情報を鍵として用いて、読み出したコンテンツに暗号アルゴリズムＥ１を施して、暗号化コンテンツを生成し（ステップＳ１１０）、書込部３３０は、受け取った暗号化コンテンツをメモリカード４００の外部記憶部４１０に暗号化コンテンツ６０２として書き込む（ステップＳ１１１）。
【００５３】
入力部３６５からコンテンツの読出指示を受け取ると（ステップＳ１０７）、読出部３５０は、メモリカード４００の外部記憶部４１０から暗号化コンテンツ６０２を読み出し（ステップＳ１１２）、復号部３４０は、固有情報記憶部３１０から固有情報を読み出し（ステップＳ１１３）、次に、復号部３４０は、読み出した固有情報を鍵として用いて、受け取った暗号化コンテンツに復号アルゴリズムＤ１を施して、コンテンツを生成し（ステップＳ１１４）、生成したコンテンツを内部記憶部３０３へ書き込む（ステップＳ１１５）。
【００５４】
入力部３６５からコンテンツの再生指示を受け取ると（ステップＳ１０７）、再生部３０４は、内部記憶部３０３からコンテンツ６０１を読み出し（ステップＳ１１６）、読み出したコンテンツを再生する（ステップＳ１１７）。
１．６  携帯電話３００の利用者の処理手順
携帯電話３００の利用者の処理手順について説明する。
【００５５】
（１）最初に、利用者は、携帯電話３００のコンテンツ購入部３０１を利用して、コンテンツ配信用サーバ装置２００が有するコンテンツ記憶部２０１に格納されているコンテンツの中から好きなコンテンツを購入し、購入したコンテンツをコンテンツ取得部３０２により取得し、携帯電話３００が有する内部記憶部３０３に格納する。
【００５６】
（２）次に、利用者は、購入したコンテンツが、例えば着信メロディであれば、電話着信時に再生部３０４により前記着信メロディが再生されるように、携帯電話３００に設定する。
（３）また、利用者は、携帯電話が有する内部記憶部３０３に格納されている購入済みのコンテンツ６０１を、次の手順でメモリカード４００に保存することができる。
【００５７】
（３．１）利用者は、メモリカード４００を携帯電話３００に装着し、携帯電話３００に対して、購入済みコンテンツのメモリカードへの保存を指示する。
（３．２）このとき、携帯電話３００が有する内部記憶部３０３に格納されている購入済みのコンテンツ６０１は、固有情報記憶部３１０に格納されている固有情報に基づいて、暗号部３２０によって暗号化され、暗号化コンテンツが生成される。暗号化コンテンツは、書込部３３０によってメモリカード４００が有する外部記憶部４１０に、暗号化コンテンツ６０２として、保存される。
【００５８】
（４）また、利用者は、メモリカード４００が有する外部記憶部４１０に格納されている暗号化コンテンツ６０２を、次の手順により、携帯電話３００が有する内部記憶部３０３に取り出すことができる。
（４．１）利用者は、メモリカード４００を携帯電話３００に装着し、携帯電話３００に対して、メモリカード４００から暗号化コンテンツの取得を指示する。
【００５９】
（４．２）このとき、メモリカード４００が有する外部記憶部４１０に格納されている暗号化コンテンツ６０２は、携帯電話３００が有する読出部３５０によってメモリカード４００から読み出され、読み出された暗号化コンテンツは、固有情報記憶部３１０に格納されている固有情報に基づいて、復号部３４０によって復号され、コンテンツが生成され、生成されたコンテンツが、携帯電話３００が有する内部記憶部３０３に、コンテンツ６０１として、格納される。
【００６０】
１．７  変形例１
上記の説明において、購入済みのコンテンツについてメモリカード４００に保存する、又はメモリカード４００から取得する手順について述べたが、コンテンツが、対価を支払って購入済みのものであるかどうかは、本発明の本質ではない。例えば、対価を支払って利用者が購入するコンテンツではなく、提供者が無償で利用者に提供するコンテンツ、例えば、お試し版のコンテンツであっても、同様の手順により上記の処理を実行することができる。
【００６１】
１．８  変形例２
ここでは、携帯電話３００の変形例である携帯電話３００ｂ及びメモリカード４００の変形例であるメモリカード４００ｂについて説明する。
携帯電話３００ｂ及びメモリカード４００ｂは、それぞれ携帯電話３００及びメモリカード４００と同様の構成を有しており、以下において、携帯電話３００及びメモリカード４００との相違点を中心として説明する。
【００６２】
（１）メモリカード４００ｂの構成
メモリカード４００ｂは、図５に示すように、第１外部記憶部４１２と第２外部記憶部４１１とを含んで構成される。
第２外部記憶部４１１は、後述する暗号化タイトル鍵を記憶するための領域を備えている。また、第１外部記憶部４１２は、暗号化コンテンツを記憶するための領域を備えている。
【００６３】
（２）携帯電話３００ｂの構成
携帯電話３００ｂは、図６に示すように、携帯電話３００が有する暗号復号部３８０に代えて、暗号復号部３８０ｂを有している。この点のみにおいて、携帯電話３００と相違する。携帯電話３００ｂにおいて、携帯電話３００に含まれる構成要素と同じ符号が付された構成要素は、携帯電話３００に含まれる構成要素と同じである。
【００６４】
暗号復号部３８０ｂは、タイトル鍵生成部３２１、暗号部３２２、暗号部３２３、復号部３４２及び復号部３４３を含んでいる。
（タイトル鍵生成部３２１）
タイトル鍵生成部３２１は、内部記憶部３０３に記憶されているコンテンツ６０１が暗号化される都度、乱数を生成し、生成した乱数をコンテンツ毎に固有のタイトル鍵として、暗号部３２２及び暗号部３２３へ出力する。
【００６５】
（暗号部３２２）
暗号部３２２は、固有情報記憶部３１０から固有情報を読み出し、タイトル鍵生成部３２１からタイトル鍵を受け取る。次に、暗号部３２２は、読み出した固有情報を鍵として用いて、受け取ったタイトル鍵に暗号アルゴリズムＥ２を施して暗号化タイトル鍵を生成し、生成した暗号化タイトル鍵を書込部３３０へ出力する。
【００６６】
ここで、暗号アルゴリズムＥ２は、一例として、ＤＥＳによるアルゴリズムである。
（暗号部３２３）
暗号部３２３は、タイトル鍵生成部３２１からタイトル鍵を受け取り、内部記憶部３０３からコンテンツ６０１を読み出す。次に、暗号部３２３は、受け取ったタイトル鍵を鍵として用いて、読み出したコンテンツに暗号アルゴリズムＥ３を施して暗号化コンテンツを生成し、生成した暗号化コンテンツを書込部３３０へ出力する。
【００６７】
（書込部３３０）
書込部３３０は、暗号部３２２から暗号化タイトル鍵を受け取り、受け取った暗号化タイトル鍵をメモリカード４００ｂの第２外部記憶部４１１へ書き込む。また、書込部３３０は、暗号部３２３から暗号化コンテンツを受け取り、受け取った暗号化コンテンツをメモリカード４００ｂの第１外部記憶部４１２へ書き込む
（読出部３５０）
読出部３５０は、メモリカード４００ｂの第１外部記憶部４１２から暗号化コンテンツを読み出し、第２外部記憶部４１１から暗号化タイトル鍵を読み出し、読み出した暗号化タイトル鍵を復号部３４２へ出力し、読み出した暗号化コンテンツを復号部３４３へ出力する。
【００６８】
（復号部３４２）
復号部３４２は、読出部３５０から暗号化タイトル鍵を受け取り、固有情報記憶部３１０から固有情報を読み出し、読み出した固有情報を鍵として用いて、受け取った暗号化タイトル鍵に復号アルゴリズムＤ２を施してタイトル鍵を生成し、生成したタイトル鍵を復号部３４３へ出力する。
【００６９】
ここで、復号アルゴリズムＤ２は、暗号アルゴリズムＥ２の逆変換を行うアルゴリズムである。復号アルゴリズムＤ２は、一例として、ＤＥＳによるアルゴリズムである。
（復号部３４３）
復号部３４３は、読出部３５０から暗号化コンテンツを受け取り、復号部３４２からタイトル鍵を受け取り、受け取ったタイトル鍵を鍵として用いて、受け取った暗号化コンテンツに復号アルゴリズムＤ３を施して、コンテンツを生成し、生成したコンテンツを内部記憶部３０３に、コンテンツ６０１として書き込む。
【００７０】
ここで、復号アルゴリズムＤ３は、暗号アルゴリズムＥ３の逆変換を行うアルゴリズムである。復号アルゴリズムＤ３は、一例として、ＤＥＳによるアルゴリズムである。
（３）携帯電話３００ｂの動作
携帯電話３００ｂによる動作について説明する。
【００７１】
なお、デジタル著作物配信システムによる全体の動作は、図４のフローチャートに示すステップＳ１０８〜Ｓ１１１及びステップＳ１１２〜Ｓ１１５を、それぞれ以下に示すステップＳ１３１〜Ｓ１３７及びステップＳ１４１〜Ｓ１４６に置き換えたものである。
（暗号化コンテンツの保存の動作）
携帯電話３００ｂによる暗号化コンテンツの生成とメモリカード４００ｂへの書込の動作について、図７に示すフローチャートを用いて説明する。
【００７２】
タイトル鍵生成部３２１は、タイトル鍵を生成し（ステップＳ１３１）、暗号部３２２は、固有情報記憶部３１０から固有情報を読み出し（ステップＳ１３２）、次に、暗号部３２２は、読み出した固有情報を鍵として用いて、受け取ったタイトル鍵に暗号アルゴリズムＥ２を施して暗号化タイトル鍵を生成し（ステップＳ１３３）、書込部３３０は、暗号部３２２から暗号化タイトル鍵を受け取り、受け取った暗号化タイトル鍵をメモリカード４００ｂの第２外部記憶部４１１へ書き込む（ステップＳ１３４）。次に、暗号部３２３は、内部記憶部３０３からコンテンツ６０１を読み出し（ステップＳ１３５）、受け取ったタイトル鍵を鍵として用いて、読み出したコンテンツに暗号アルゴリズムＥ３を施して暗号化コンテンツを生成し（ステップＳ１３６）、書込部３３０は、暗号化コンテンツをメモリカード４００ｂの第１外部記憶部４１２へ書き込む（ステップＳ１３７）。
【００７３】
（コンテンツの復号の動作）
携帯電話３００ｂによるメモリカード４００ｂからの暗号化コンテンツの読出とコンテンツの生成の動作について、図８に示すフローチャートを用いて説明する。
読出部３５０は、メモリカード４００ｂの第２外部記憶部４１１から暗号化タイトル鍵を読み出す（ステップＳ１４１）。次に、復号部３４２は、固有情報記憶部３１０から固有情報を読み出し（ステップＳ１４２）、読み出した固有情報を鍵として用いて、受け取った暗号化タイトル鍵に復号アルゴリズムＤ２を施してタイトル鍵を生成する（ステップＳ１４３）。次に、読出部３５０は、メモリカード４００ｂの第１外部記憶部４１２から暗号化コンテンツを読み出し（ステップＳ１４４）、復号部３４３は、タイトル鍵を鍵として用いて、受け取った暗号化コンテンツに復号アルゴリズムＤ３を施して、コンテンツを生成し（ステップＳ１４５）、生成したコンテンツを内部記憶部３０３に、コンテンツ６０１として書き込む（ステップＳ１４６）。
【００７４】
１．９  変形例３
（１）以上説明したように、暗号部３２０及び復号部３４０において、暗号方式としては、一例として、ＤＥＳアルゴリズムを用いるとしている。
この場合、固有情報記憶部３１０に格納されている固有情報は、５６ビットの固有鍵であるとすればよい。
【００７５】
または、固有情報として、携帯電話の電話番号を用いるとしてもよい。この場合、電話番号に、秘密の変換関数を施して、５６ビットの固有情報を出力することにより、前記固有情報が生成されるものとすればよい。
ここで秘密の変換関数としては、例えば、ＤＥＳ暗号を次のようにして用いることができる。すなわち、５６ビットの秘密固定値を鍵として用いて、携帯電話の電話番号に、ＤＥＳ暗号を施して、６４ビットの出力値を得、得られた出力値の下位５６ビットを固有情報として用いる。
【００７６】
（２）また、固有情報記憶部３１０及び内部記憶部３０３は、後述する機種変更装置のように特別に許諾された装置以外では、外部から読み出したり、書き込んだりできないように保護されている。具体的には、固有情報記憶部３１０及び内部記憶部３０３は、耐タンパハードウエア、耐タンパソフトウエア、又はその両者の組み合わせから構成されているものとする。
【００７７】
（３）また、固有情報記憶部３１０は、携帯電話で利用されているＳＩＭ（Ｓｕｂｓｃｒｉｂｅｒ  Ｉｄｅｎｔｉｔｙ  Ｍｏｄｕｌｅ）カードのような、携帯電話に着脱可能なカード内に持たせる構成をとることも可能である。
（４）また、ＤＥＳ暗号を用いる場合、コンテンツを暗号化する際、コンテンツを、６４ビット毎のデータブロックに分割し、分割したデータブロックを、それぞれ、５６ビットの固有鍵を用いて暗号化し、６４ビットの暗号化されたデータブロックを生成する。こうして得られる６４ビットの暗号化された各データブロックを結合し、暗号化コンテンツとして出力するとしてもよい（ＥＣＢ（Ｅｌｅｃｔｒｏｎｉｃ  Ｃｏｄｅｂｏｏｋ  モード））。又は、ＣＢＣ（Ｃｙｐｈｅｒ  ｆｅｅｄｂａｃｋ  ｃｈａｉｎｉｎｇ）モードで暗号化してもよい。なお、ＥＣＢモードやＣＢＣモードの詳細については、例えば、岡本栄司著「暗号理論入門」（共立出版）に記載されているので、説明を省略する。
【００７８】
（５）また、前記固有情報は、記録再生装置としての携帯電話３００に固有の情報であるとしているが、前記固有情報は、前記記録再生装置が属し、同一の属性を有する記録再生装置群に固有の情報であるとしてもよい。
前記記録再生装置群は、一例として、製造業者Ａが製造する同一の機種の携帯電話であり、前記属性は、携帯電話の機種であり、前記固有情報は、これらの同一の機種の携帯電話に固有の情報である。この構成によると、ある機種の携帯電話によりメモリカードに記録したコンテンツは、前記携帯電話と同一の機種の携帯電話であれば再生可能となる。
【００７９】
また、前記記録再生装置群は、一例として、１個の家族に属する家人がそれぞれ所持する携帯電話であり、前記属性は、前記携帯電話を所持する人の家族であり、前記固有情報は、前記家族の家人がそれぞれ所持する携帯電話に固有の情報である。この構成によると、ある人が自分の携帯電話でメモリカードに記録したコンテンツは、その人の家族の携帯電話であれば再生可能となる。
【００８０】
１．１０  まとめ
携帯電話３００が有する内部記憶部３０３は、一般にそのメモリ容量が限られている。従って、従来は、内部記憶部３０３がデジタル著作物でいっぱいになった場合、内部記憶部３０３のデジタル著作物を消去し、内部記憶部３０３内に空きメモリを確保してからデジタル著作物を購入するか、又は購入をあきらめなければならなかった。
【００８１】
しかし、実施の形態１によれば、携帯電話の内部記憶部内に記録されたデジタル著作物のうちすぐに利用しないもの等は、携帯電話に装着されるメモリカードに書き込み、それによって、既に購入済みのデジタル著作物を再生する権利を失うことなく、携帯電話の内部記憶領域に空きメモリを確保することができ、さらなるデジタル著作物の購入が可能となる。
【００８２】
コンテンツの著作権者が、次に示すような利用形態を許可しない場合がある。例えば、利用者がある携帯電話からメモリカードに、暗号化コンテンツを保存した後に、そのメモリカードを他の携帯電話に装着した場合に、コンテンツの著作権者は、利用者に対して、他の携帯電話において暗号化コンテンツを復号し、再生することを許可しない。
【００８３】
このような場合において、実施の形態１によると、利用者がある携帯電話からメモリカードに、暗号化コンテンツを保存した後に、そのメモリカードを他の携帯電話に装着した場合に、利用者は、他の携帯電話において暗号化コンテンツを復号し、再生することはできない。
つまり著作権者にとっては、ある携帯電話により、その携帯電話に装着されたメモリカードに保存されたコンテンツは、他の携帯電話にメモリカードを装着しても復号、再生できないという権利を保証されるという効果が得られる。このことを図９を用いて詳しく説明する。
【００８４】
図９に示すように、携帯電話Ａには固有情報Ａが格納されており、携帯電話Ｘには固有情報Ｘが格納されている。
携帯電話Ａがメモリカードへコンテンツを書込むとき、携帯電話Ａは、固有情報Ａを用いて、タイトル鍵を暗号化してメモリカードの外部記憶部に保存し（ステップＳ１５１）、次に、タイトル鍵を用いてコンテンツを暗号化して、暗号化コンテンツをメモリカードの外部記憶部に保存する（ステップＳ１５２）。
【００８５】
携帯電話Ａがメモリカードから暗号化コンテンツを読み出すとき、携帯電話Ａは、メモリカードの外部記憶部から暗号化タイトル鍵を読み出し、固有情報Ａを用いて、暗号化タイトル鍵を復号し（ステップＳ１５３）、次に、外部記憶部から暗号化コンテンツを読み出し、生成したタイトル鍵を用いて暗号化コンテンツを復号する（ステップＳ１５４）。
【００８６】
このとき、タイトル鍵を暗号化するときに用いられる固有情報Ａと、暗号化タイトル鍵を復号するときに用いられる固有情報Ａとは、同一であるので、復号において、タイトル鍵は、正しく復号される。また、コンテンツの暗号化に用いられたタイトル鍵と、暗号化コンテンツの復号に用いられるタイトル鍵とは、同一であるので、復号において、コンテンツが正しく復号される。
【００８７】
一方、携帯電話Ｘがメモリカードから暗号化コンテンツを読み出すとき、携帯電話Ｘは、メモリカードの外部記憶部から暗号化タイトル鍵を読み出し、固有情報Ｘを用いて、暗号化タイトル鍵を復号する（ステップＳ１５５）。
このとき、タイトル鍵を暗号化するときに用いられる固有情報Ａと、暗号化タイトル鍵を復号するときに用いられる固有情報Ｘとは、異なるので、復号において、タイトル鍵は、正しく復号されない。従って、暗号化コンテンツも正しく復号されない。
【００８８】
このため、携帯電話Ｘは、暗号化コンテンツを再生できない。
２．実施の形態２
本発明に係る実施の形態２としてのデジタル著作物配信システム１００ｃについて説明する。
デジタル著作物配信システム１００ｃは、デジタル著作物に対して再生回数や再生期間などの利用条件データが設定されている場合に、その利用条件データに基づいて許諾される範囲内で記録再生装置における再生を可能とするデジタル著作物保護システム、記録再生装置、及び記録媒体装置を提供することを目的とする。つまり、これらの装置において、デジタル著作物の利用の許諾に係る利用条件情報に基づいて、前記デジタル著作物の前記記録再生装置における再生を許可することを目的とする。
【００８９】
デジタル著作物配信システム１００ｃにおいては、コンテンツに対して、再生回数限定、再生期間限定又は累積再生時間限定等の利用条件データが、付加されている場合に、利用条件データによって許諾された範囲内で、携帯電話による前記コンテンツの再生を可能する。
デジタル著作物配信システム１００ｃは、デジタル著作物配信システム１００と同様の構成を有している。ここでは、デジタル著作物配信システム１００との相違点を中心として説明する。
【００９０】
デジタル著作物配信システム１００ｃは、コンテンツ配信用サーバ装置２００に代えて、コンテンツ配信用サーバ装置２００ｃを含んでおり、携帯電話３００に代えて、携帯電話３００ｃを含んでいる。
２．１  コンテンツ配信用サーバ装置２００ｃの構成
コンテンツ配信用サーバ装置２００ｃは、デジタル著作物配信システム１００に含まれるコンテンツ配信用サーバ装置２００と同様の構成を有している。
【００９１】
ここでは、デジタル著作物配信システム１００に含まれるコンテンツ配信用サーバ装置２００との相違点を中心として説明する。
（コンテンツ記憶部２０１）
コンテンツ配信用サーバ装置２００ｃが有するコンテンツ記憶部２０１は、さらに、コンテンツに対応付けて利用条件をあらかじめ記憶している。
【００９２】
利用条件は、一例として、再生許可回数である。再生許可回数は、利用者に対して、当該利用条件に対応して記憶されているコンテンツを再生することができる回数の合計値を制限するものである。例えば、再生許可回数が、「１０」である場合に、利用者に対して、当該コンテンツを最大１０回まで再生することが許可される。
【００９３】
なお、利用条件は、再生許可期間であるとしてもよい。再生許可期間は、利用者に対して、当該利用条件に対応して記憶されているコンテンツを再生することができる期間を制限するものであり、再生許可開始日と再生許可終了日とから構成される。利用者に対して、再生許可開始日から再生許可終了日までの期間内においてのみ、当該コンテンツの再生が許可される。この期間内であれば、利用者は、当該コンテンツを何回でも再生することができる。
【００９４】
また、利用条件は、累積再生許可時間であるとしてもよい。累積再生許可時間は、利用者に対して、当該利用条件に対応して記憶されているコンテンツを再生することができる時間の累積値を制限するものである。例えば、累積再生許可時間が、「１０時間」である場合に、利用者に対して、当該コンテンツの再生時間の累積値が１０時間以内であれば、当該コンテンツの再生が許可される。１０時間を超えると、再生が禁止される。
【００９５】
また、利用条件は、再生許可回数、再生許可期間及び累積再生許可時間の全てを含むとしてもよいし、再生許可回数、再生許可期間及び累積再生許可時間のうちのいずれか２個を選択したもの含むとしてもよい。
（制御部２０２）
制御部２０２は、コンテンツＩＤにより識別されるコンテンツと、コンテンツに対応して記憶されている利用条件とを、コンテンツ記憶部２０１から読み出し、読み出したコンテンツ及び利用条件を、送受信部２０３、インターネット１０、携帯電話網２０及び無線基地局３０を介して、携帯電話３００へ、例えば、ＥＭＭＳ方式を利用して、安全に送信する。
【００９６】
２．２  携帯電話３００ｃの構成
携帯電話３００ｃは、図１０に示すように、携帯電話３００が有する構成要素に加えて、さらに、利用条件記憶部３０５及び利用条件判定部３０６を有している。
（コンテンツ取得部３０２）
コンテンツ取得部３０２は、コンテンツ配信用サーバ装置２００ｃから、インターネット１０、携帯電話網２０、無線基地局３０、アンテナ３６７及び送受信部３６１を介して、コンテンツ及び利用条件を受け取り、受け取ったコンテンツを内部記憶部３０３へコンテンツ６０１として書き込み、受け取った利用条件を利用条件記憶部３０５へ書き込む。ここで、利用条件は、再生許可回数である。
【００９７】
（利用条件記憶部３０５）
利用条件記憶部３０５は、利用条件を記憶するための領域を備えている。
（利用条件判定部３０６）
利用条件判定部３０６は、利用条件記憶部３０５から再生許可回数である利用条件を読み出し、読み出した再生許可回数が０より大きいか否かを判断する。
【００９８】
読み出した再生許可回数が０より大きいと判断する場合には、利用条件判定部３０６は、読み出した再生許可回数から値「１」を引き、値「１」が引かれた再生許可回数である利用条件を利用条件記憶部３０５へ利用条件として上書きする。次に、再生部３０４に対して、内部記憶部３０３に記憶されているコンテンツの再生許可を示す許可情報を出力する。
【００９９】
読み出した再生許可回数が０以下であると判断する場合には、利用条件判定部３０６は、再生部３０４に対して前記許可情報を出力することはしない。このとき、再生部３０４は、コンテンツを再生しない。
（再生部３０４）
再生部３０４は、利用条件判定部３０６からコンテンツの再生許可を示す許可情報を受け取る。
【０１００】
許可情報を受け取ると、再生部３０４は、内部記憶部３０３に記憶されているコンテンツを読み出し、読み出したコンテンツを再生して出力する。
２．３  携帯電話３００ｃの動作
携帯電話３００ｃによる動作について、図１１に示すフローチャートを用いて説明する。
【０１０１】
なお、デジタル著作物配信システムによる全体の動作は、図４のフローチャートに示すステップＳ１１６〜Ｓ１１７を、以下に示すステップＳ２０１〜Ｓ２０５に置き換えたものである。
利用条件判定部３０６は、利用条件記憶部３０５から再生許可回数である利用条件を読み出し（ステップＳ２０１）、読み出した再生許可回数が０より大きいか否かを判断する。読み出した再生許可回数が０より大きいと判断する場合には（ステップＳ２０２）、利用条件判定部３０６は、読み出した再生許可回数から値「１」を引き（ステップＳ２０３）、値「１」が引かれた再生許可回数である利用条件を利用条件記憶部３０５へ利用条件として上書きする（ステップＳ２０４）。次に、利用条件判定部３０６は、再生部３０４に対して、内部記憶部３０３に記憶されているコンテンツの再生許可を示す許可情報を出力する。再生部３０４は、利用条件判定部３０６からコンテンツの再生許可を示す許可情報を受け取り、内部記憶部３０３に記憶されているコンテンツを読み出し、読み出したコンテンツを再生して出力する（ステップＳ２０５）。
【０１０２】
読み出した再生許可回数が０以下であると判断する場合には（ステップＳ２０２）、利用条件判定部３０６は、再生部３０４に対して前記許可情報を出力することはしない。このとき、再生部３０４は、コンテンツを再生しない。また、このときコンテンツを削除するにように構成してもよい。
２．４  携帯電話３００ｃの動作
利用条件が再生許可期間である場合の携帯電話３００ｃによる動作について、図１２に示すフローチャートを用いて説明する。
【０１０３】
なお、デジタル著作物配信システムによる全体の動作は、図４のフローチャートに示すステップＳ１１６〜Ｓ１１７を、以下に示すステップＳ２１１〜Ｓ２１４に置き換えたものである。
利用条件判定部３０６は、利用条件記憶部３０５から再生許可期間である利用条件を読み出し（ステップＳ２１１）、現在日時を取得し（ステップＳ２１２）、取得した現在日時が再生許可期間により示される期間内であるか否かを判断する。再生許可期間により示される期間内であると判断する場合には（ステップＳ２１３）、利用条件判定部３０６は、再生部３０４に対して、内部記憶部３０３に記憶されているコンテンツの再生許可を示す許可情報を出力する。再生部３０４は、利用条件判定部３０６からコンテンツの再生許可を示す許可情報を受け取り、内部記憶部３０３に記憶されているコンテンツを読み出し、読み出したコンテンツを再生して出力する（ステップＳ２１４）。
【０１０４】
取得した現在日時が再生許可期間により示される期間内でないと判断する場合には（ステップＳ２１３）、利用条件判定部３０６は、再生部３０４に対して前記許可情報を出力することはしない。このとき、再生部３０４は、コンテンツを再生しない。また、このとき、現在日時が再生許可期間を過ぎている場合にはコンテンツを削除するように構成してもよい。
【０１０５】
２．５  携帯電話３００ｃの動作
利用条件が累積再生許可時間である場合の携帯電話３００ｃによる動作について、図１３に示すフローチャートを用いて説明する。
なお、デジタル著作物配信システムによる全体の動作は、図４のフローチャートに示すステップＳ１１６〜Ｓ１１７を、以下に示すステップＳ２２１〜Ｓ２２６に置き換えたものである。
【０１０６】
ここで、コンテンツ記憶部２０１は、さらに、累積再生実績時間を記憶するための領域を備えている。累積再生実績時間は、過去にコンテンツを再生した場合に、再生に要した時間の累積値である。また、コンテンツは、そのコンテンツを再生するために要する時間を示す再生時間情報を含んでいるものとする。
利用条件判定部３０６は、利用条件記憶部３０５から累積再生許可時間である利用条件と累積再生実績時間とを読み出し（ステップＳ２１１）、コンテンツから再生するために要する時間を示す再生時間情報を取得し（ステップＳ２２２）、読み出した累積再生実績時間と取得した再生時間情報が示す時間との和を算出し、読み出した累積再生許可時間と算出した和とを比較して、累積再生許可時間が算出した和より大きい又は等しい場合に（ステップＳ２２３）、利用条件判定部３０６は、再生部３０４に対して、内部記憶部３０３に記憶されているコンテンツの再生許可を示す許可情報を出力し、再生部３０４は、利用条件判定部３０６からコンテンツの再生許可を示す許可情報を受け取り、内部記憶部３０３に記憶されているコンテンツを読み出し、読み出したコンテンツを再生して出力する（ステップＳ２２４）。次に、式（累積再生実績時間）＝（累積再生実績時間）＋（再生時間情報）により累積再生実績時間を算出し（ステップＳ２２５）、算出した累積再生実績時間を利用条件記憶部３０５へ累積再生実績時間として上書きする（ステップＳ２２６）。
【０１０７】
読み出した累積再生許可時間と算出した和とを比較して、累積再生許可時間が算出した和より小さい場合に（ステップＳ２２３）、利用条件判定部３０６は、再生部３０４に対して前記許可情報を出力することはしない。このとき、再生部３０４は、コンテンツを再生しない。また、累積再生許可時間が算出した和より小さい場合には、コンテンツを削除するように構成してもよい。また、コンテンツを再生するために要する時間に係わらず、累積再生許可時間までは、コンテンツを再生できるように構成してもよい。
【０１０８】
２．６  まとめ
以上説明したように、コンテンツ配信用サーバ装置２００ｃが有するコンテンツ記憶部２０１は、コンテンツと利用条件とを対応付けて記憶しており、コンテンツ配信用サーバ装置２００ｃは、コンテンツと利用条件とを携帯電話３００ｃへ送信する。利用者が利用条件が付加されたコンテンツを購入すると、携帯電話３００ｃが有する内部記憶部３０３は、購入して入手したコンテンツを記憶し、利用条件記憶部３０５は、送信された利用条件を記憶する。
【０１０９】
利用者が購入済みのコンテンツを再生するとき、利用条件判定部３０６は、利用条件記憶部３０５に格納されているそのコンテンツに対応する利用条件に基づいて、そのコンテンツの再生の許否を判断し、コンテンツの再生を許可する場合において、再生部３０４に対して前記コンテンツの再生を指示する。
また、利用条件は、コピー可能回数又は／及び移動可能回数であるとしてもよい。ここで、コピーは、内部記憶領域のコンテンツの複製物を、記録媒体装置に書き込むことを示す。なお、コピーは、１世代に限るものとする。すなわち、複製物のさらなるコピーはできないものとする。また、移動は、内部記憶領域のコンテンツを記録媒体装置に書き込むとともに、内部記憶領域のコンテンツを削除することを示す。または、逆に、記録媒体装置のコンテンツを内部記憶領域に書き込むとともに、記録媒体装置のコンテンツを削除することを示す。利用条件がコピー可能回数、又は移動可能回数である場合、コピー可能回数、又は移動可能回数まで、コンテンツをコピー、又は移動することができる。
【０１１０】
なお、購入済みコンテンツを暗号化してメモリカード４００に保存する手順、又は暗号化コンテンツをメモリカード４００から携帯電話３００ｃに取得する手順は、実施の形態１と同様であるため説明は省略する。ただし、利用条件データは、メモリカードへ書き込まれることはなく、携帯電話３００ｃが有する利用条件記憶部３０５内で保持される。
【０１１１】
なお、利用条件記憶部３０５は、後述する機種変更装置のように特別に許諾された装置以外では、外部から読み出したり、書き込んだりできないように保護されているものとする。具体的には、利用条件記憶部３０５は、耐タンパハードウエア、もしくは、耐タンパソフトウエア、もしくは、その両者の組み合わせで構成されているものとする。
【０１１２】
また、利用条件記憶部３０５は、携帯電話で利用されているSIMカードのような携帯電話に着脱可能なカードに持たせるように構成してもよい。
以上の構成により、利用条件が付されたコンテンツを、利用条件により許諾された範囲内で再生することが可能となる。
また、携帯電話の内部記憶部３０３は、一般にメモリ容量が限られている。従って、従来は、内部記憶部がデジタル著作物でいっぱいになった場合、内部記憶部のデジタル著作物を消去し空きメモリを確保してからデジタル著作物を購入するか、購入をあきらめなければならない。
【０１１３】
しかし、実施の形態２によれば、実施の形態１の場合と同様に、携帯電話３００ｃが有する内部記憶部３０３内に記録されたデジタル著作物のうちすぐに利用しないものは、携帯電話３００ｃに装着されるメモリカード４００に書き込んでおき、それによって、既に購入済みのデジタル著作物を再生する権利を失うことなく、携帯電話３００ｃの内部記憶部３０３内に空きメモリを確保することができ、さらなるデジタル著作物の購入が可能となる。
【０１１４】
さらに、以上の構成により、ある携帯電話により、当該携帯電話に装着されたメモリカードに、暗号化コンテンツを保存した場合、そのメモリカードを他の携帯電話に装着して、他の携帯電話において暗号化コンテンツを復号し、再生することは不可能となる。すなわち実施の形態２によれば、著作権者がコンテンツによっては要求する「ある携帯電話から、その携帯電話に装着されたメモリカードに保存したコンテンツは、他の携帯電話にメモリカードを装着しても復号、再生を許可しないという権利」を保証できるという効果が得られる。
【０１１５】
３．実施の形態３
本発明に係る実施の形態３としてのデジタル著作物配信システム１００ｄについて説明する。
デジタル著作物配信システム１００ｄは、デジタル著作物配信システム１００ｃと同様に、コンテンツに、再生回数限定、再生期間限定又は累積再生時間限定等の利用条件が付されている場合に、利用条件によって許諾された範囲内で携帯電話でのコンテンツの再生を可能とするものである。
【０１１６】
デジタル著作物配信システム１００ｄは、デジタル著作物配信システム１００ｃと同様の構成を有している。ここでは、デジタル著作物配信システム１００ｃとの相違点を中心として説明する。
デジタル著作物配信システム１００ｄは、コンテンツ配信用サーバ装置２００ｃに代えて、コンテンツ配信用サーバ装置２００ｄを含んでおり、携帯電話３００ｃ及びメモリカード４００に代えて、携帯電話３００ｄ及びメモリカード４００ｄを含んでいる。なお、コンテンツ配信用サーバ装置２００ｄは、コンテンツ配信用サーバ装置２００ｃと同一である。
【０１１７】
３．１  メモリカード４００ｄ
メモリカード４００ｄは、図１４に示すように、第１外部記憶部４１２、第２外部記憶部４１１及び認証部４９０から構成されている。
認証部４９０は、携帯電話３００ｄが有する認証部３９０（後述する）との間で、チャレンジ−レスポンス型の相互の機器認証を行う。具体的には、認証部４９０は、認証部３９０による認証を受ける。次に、認証部４９０は、認証部３９０の認証を行う。両方の認証が成功した場合にのみ、相互の機器認証が成功したものと見做される。なお、チャレンジ−レスポンス型の機器認証については、公知であるので、説明を省略する。
【０１１８】
第１外部記憶部４１２は、コンテンツが暗号化された暗号化コンテンツを記憶するための領域を備えている。
第２外部記憶部４１１は、認証部４９０による機器認証が成功した場合にのみ、相手の携帯電話３００ｄによる情報の読出し及び情報の書込みを許可する記憶ユニットであり、後述する暗号化結合情報を記憶するための領域を備えている。
【０１１９】
３．２  携帯電話３００ｄの構成
携帯電話３００ｄは、携帯電話３００ｃと同様の構成を有している。
携帯電話３００ｄは、図１５及び図１６に示すように、携帯電話３００ｃが有する暗号復号部３８０に代えて、暗号復号部３８０ｄを有し、携帯電話３００ｃが有する書込部３３０及び読出部３５０に代えて、書込部３３１、３３２及び読出部３５１、３５２を有している。また、携帯電話３００ｄは、さらに、認証部３９０を備えている。他の構成要素については、携帯電話３００ｃが有する構成要素と同じである。
【０１２０】
ここでは、携帯電話３００ｃとの相違点を中心として説明する。
（１）認証部３９０
認証部３９０は、制御部３６６から認証指示を受け取る。
制御部３６６から認証指示を受け取ると、認証部３９０は、メモリカード４００ｄが有する認証部４９０との間で、チャレンジ−レスポンス型の相互の機器認証を行う。具体的には、認証部３９０は、認証部４９０の認証を行う。次に、認証部３９０は、認証部４９０による認証を受ける。両方の認証が成功した場合にのみ、相互の機器認証が成功したものと見做される。
【０１２１】
相互の機器認証が成功した場合に、認証部３９０は、書込部３３１に対して相互の機器認証が成功した旨を示す情報を出力する。
（２）暗号復号部３８０ｄ
暗号復号部３８０ｄは、図１６に示すように、タイトル鍵生成部３２１ｄ、暗号部３２２ｄ、暗号部３２３ｄ、連結部３２４、復号部３４２ｄ、復号部３４３ｄ及び分割部３４４から構成されている。
【０１２２】
（タイトル鍵生成部３２１ｄ）
タイトル鍵生成部３２１ｄは、制御部３６６から保存指示を受け取る。
制御部３６６から保存指示を受け取ると、タイトル鍵生成部３２１ｄは、暗号復号部３８０ｂが有するタイトル鍵生成部３２１と同様にして、タイトル鍵を生成し、生成したタイトル鍵を連結部３２４及び暗号部３２３ｄへ出力する。
【０１２３】
（暗号部３２２ｄ）
暗号部３２２ｄは、固有情報記憶部３１０から固有情報を読み出し、連結部３２４から結合情報を受け取る。次に、暗号部３２２ｄは、読み出した固有情報を鍵として用いて、受け取った結合情報に暗号アルゴリズムＥ２を施して暗号化結合情報を生成し、生成した暗号化結合情報を書込部３３１へ出力する。
【０１２４】
（暗号部３２３ｄ）
暗号部３２３ｄは、タイトル鍵生成部３２１ｄからタイトル鍵を受け取り、内部記憶部３０３からコンテンツ６０１を読み出す。次に、暗号部３２３ｄは、受け取ったタイトル鍵を鍵として用いて、読み出したコンテンツに暗号アルゴリズムＥ３を施して暗号化コンテンツを生成し、生成した暗号化コンテンツを書込部３３２へ出力する。
【０１２５】
（連結部３２４）
連結部３２４は、タイトル鍵生成部３２１ｄからタイトル鍵を受け取り、利用条件記憶部３０５から利用条件を読み出す。次に、連結部３２４は、受け取ったタイトル鍵と読み出した利用条件とを、この順序で結合して、結合情報を生成し、生成した結合情報を暗号部３２２ｄへ出力する。
【０１２６】
（復号部３４２ｄ）
復号部３４２ｄは、読出部３５１から暗号化結合情報を受け取り、固有情報記憶部３１０から固有情報を読み出す。次に、復号部３４２ｄは、読み出した固有情報を鍵として用いて、受け取った暗号化結合情報に復号アルゴリズムＤ２を施して結合情報を生成し、生成した結合情報を分割部３４４へ出力する。
【０１２７】
（復号部３４３ｄ）
復号部３４３ｄは、読出部３５２から暗号化コンテンツを受け取り、分割部３４４からタイトル鍵を受け取る。次に、受け取ったタイトル鍵を鍵として用いて、受け取った暗号化コンテンツに復号アルゴリズムＤ３を施して、コンテンツを生成し、生成したコンテンツを内部記憶部３０３へ書き込む。
【０１２８】
（分割部３４４）
分割部３４４は、復号部３４２ｄから結合情報を受け取り、受け取った結合情報を分割して、タイトル鍵と利用条件とを生成し、生成したタイトル鍵を復号部３４３ｄへ出力し、生成した利用条件を利用条件記憶部３０５へ書き込む。
（３）書込部３３１
書込部３３１は、暗号部３２２ｄから暗号化結合情報を受け取り、受け取った暗号化結合情報をメモリカード４００ｄの第２外部記憶部４１１へ書き込む。
【０１２９】
（４）書込部３３２
書込部３３２は、暗号部３２３ｄから暗号化コンテンツを受け取り、受け取った暗号化コンテンツを第１外部記憶部４１２へ書き込む。
（５）読出部３５１
読出部３５１は、制御部３６６から読出指示を受け取る。
【０１３０】
制御部３６６から読出指示を受け取ると、読出部３５１は、メモリカード４００ｄの第２外部記憶部４１１から暗号化結合情報を読み出し、読み出した暗号化結合情報を復号部３４２ｄへ出力する。
（６）読出部３５２
読出部３５２は、メモリカード４００ｄの第１外部記憶部４１２から暗号化コンテンツ６０２を読み出し、読み出した暗号化コンテンツを復号部３４３ｄへ出力する。
【０１３１】
（７）制御部３６６
制御部３６６は、入力部３６５からコンテンツの書込指示及び読出指示を受け取る。書込指示又は読出指示を受け取ると、制御部３６６は、認証部３９０へ認証指示を出力する。
また、制御部３６６は、認証部３９０から成功情報及び失敗情報を受け取る。
【０１３２】
入力部３６５からコンテンツの書込指示を受け取り、かつ認証部３９０から成功情報を受け取った場合に、制御部３６６は、暗号復号部３８０ｄのタイトル鍵生成部３２１ｄに対して保存指示を出力する。
入力部３６５からコンテンツの読出指示を受け取り、かつ認証部３９０から成功情報を受け取った場合に、制御部３６６は、読出部３５１に対して読出指示を出力する。
【０１３３】
書込指示を受け取りかつ失敗情報を受け取った場合、又は読出指示を受け取りかつ失敗情報を受け取った場合に、制御部３６６は、それぞれ受け取った書込指示、又は読出指示を廃棄し、保存処理又は読出処理は行われない。
３．３  デジタル著作物配信システム１００ｄの動作
デジタル著作物配信システム１００ｄの動作について説明する。
【０１３４】
（１）デジタル著作物配信システム１００ｄの全体の動作
デジタル著作物配信システム１００ｄの全体の動作について、図１７に示すフローチャートを用いて説明する。
携帯電話３００ｄのコンテンツ購入部３０１は、入力部３６５からコンテンツＩＤを受け取り、支払情報を生成し（ステップＳ２５１）、前記コンテンツＩＤ及び前記支払情報をコンテンツ配信用サーバ装置２００ｄへ送信する（ステップＳ２５２）。
【０１３５】
コンテンツ配信用サーバ装置２００ｄの制御部２０２は、携帯電話３００ｄから、コンテンツＩＤ及び支払情報を受け取り（ステップＳ２５２）、次に、受け取った支払情報に基づいて入金処理を行い（ステップＳ２５３）、受け取ったコンテンツＩＤにより識別されるコンテンツをコンテンツ記憶部２０１から読み出し（ステップＳ２５４）、読み出したコンテンツを携帯電話３００ｄへ送信する（ステップＳ２５５）。
【０１３６】
携帯電話３００ｄのコンテンツ取得部３０２は、コンテンツ配信用サーバ装置２００ｄからコンテンツを受け取り（ステップＳ２５５）、受け取ったコンテンツを内部記憶部３０３へコンテンツ６０１として書き込む（ステップＳ２５６）。
入力部３６５からコンテンツの書込指示を受け取ると、制御部３６６は、認証部３９０へ認証指示を出力し（ステップＳ２５７）、制御部３６６から認証指示を受け取ると、認証部３９０は、メモリカード４００ｄの認証部４９０との間で相互に機器認証を行い（ステップＳ２５８）、機器認証が成功すると、すなわち、認証部３９０から成功情報を受け取ると、制御部３６６は、暗号復号部３８０ｄに対して保存処理を行うように保存指示を出力し（ステップＳ２５９）、保存処理が行われる（ステップＳ２６０）。機器認証が失敗すると、すなわち、認証部３９０から失敗情報を受け取ると（ステップＳ２５９）、制御部３６６は、受け取ったコンテンツの書込指示を廃棄し、保存処理は行われない。
【０１３７】
入力部３６５からコンテンツの読出指示を受け取ると、制御部３６６は、認証部３９０へ認証指示を出力し（ステップＳ２５７）、制御部３６６から認証指示を受け取ると、認証部３９０は、メモリカード４００ｄの認証部４９０との間で相互に機器認証を行い（ステップＳ２６１）、機器認証が成功すると、すなわち、認証部３９０から成功情報を受け取ると、制御部３６６は、読出部３５１に対して読出処理を行うように読出指示を出力し（ステップＳ２６２）、読出処理が行われる（ステップＳ２６３）。機器認証が失敗すると、すなわち、認証部３９０から失敗情報を受け取ると（ステップＳ２６２）、制御部３６６は、受け取ったコンテンツの読出指示を廃棄し、読出処理は行われない。
【０１３８】
入力部３６５からコンテンツの再生指示を受け取ると（ステップＳ２５７）、再生処理が行われる（ステップＳ２６４）。
（２）携帯電話３００ｄとメモリカード４００ｄの間の機器認証の動作
携帯電話３００ｄとメモリカード４００ｄの間の機器認証の動作について、図１８に示すフローチャートを用いて説明する。
【０１３９】
なお、この機器認証の動作は、図１７に示すフローチャートにおけるステップＳ２５８及びステップＳ２６１の詳細の動作を示すものである。
携帯電話３００ｄの認証部３９０は、メモリカード４００ｄの認証部４９０に対して機器認証を行う（ステップＳ２７１）。この場合、機器認証が成功すると（ステップＳ２７２）、次に、認証部４９０は、認証部３９０に対して機器認証を行う（ステップＳ２７３）。このとき、機器認証が成功すると（ステップＳ２７４）、認証部４９０は、機器認証が成功した旨を示す成功情報を制御部３６６へ出力する（ステップＳ２７５）。
【０１４０】
ステップＳ２７１において機器認証が失敗すると（ステップＳ２７２）、又は、ステップＳ２７３において機器認証が失敗すると（ステップＳ２７４）、認証部４９０は、機器認証が失敗した旨を示す失敗情報を制御部３６６へ出力する（ステップＳ２７６）。
（３）保存処理の動作
携帯電話３００ｄによる保存処理の動作について、図１９に示すフローチャートを用いて説明する。
【０１４１】
制御部３６６から保存指示を受け取ると、暗号復号部３８０ｄのタイトル鍵生成部３２１ｄは、タイトル鍵を生成し、生成したタイトル鍵を連結部３２４及び暗号部３２３ｄへ出力する（ステップＳ２８１）。
次に、連結部３２４は、タイトル鍵生成部３２１ｄからタイトル鍵を受け取り、利用条件記憶部３０５から利用条件を読み出す（ステップＳ２８２）。次に、連結部３２４は、受け取ったタイトル鍵と読み出した利用条件とを、この順序で結合して、結合情報を生成し、生成した結合情報を暗号部３２２ｄへ出力する（ステップＳ２８３）。
【０１４２】
次に、暗号部３２２ｄは、固有情報記憶部３１０から固有情報を読み出し、連結部３２４から結合情報を受け取る（ステップＳ２８４）。次に、暗号部３２２ｄは、読み出した固有情報を鍵として用いて、受け取った結合情報に暗号アルゴリズムＥ２を施して暗号化結合情報を生成し、生成した暗号化結合情報を書込部３３１へ出力する（ステップＳ２８５）。次に、書込部３３１は、暗号部３２２ｄから暗号化結合情報を受け取り、受け取った暗号化結合情報をメモリカード４００ｄの第２外部記憶部４１１へ書き込む（ステップＳ２８６）。
【０１４３】
次に、暗号部３２３ｄは、タイトル鍵生成部３２１ｄからタイトル鍵を受け取り、内部記憶部３０３からコンテンツ６０１を読み出し（ステップＳ２８７）、さらに、受け取ったタイトル鍵を鍵として用いて、読み出したコンテンツに暗号アルゴリズムＥ３を施して暗号化コンテンツを生成し、生成した暗号化コンテンツを書込部３３２へ出力する（ステップＳ２８８）。次に、書込部３３２は、暗号部３２３ｄから暗号化コンテンツを受け取り、受け取った暗号化コンテンツを第１外部記憶部４１２へ書き込む（ステップＳ２８９）。
【０１４４】
（４）読出処理の動作
携帯電話３００ｄによる読出処理の動作について、図２０に示すフローチャートを用いて説明する。
制御部３６６から読出指示を受け取ると、読出部３５１は、メモリカード４００ｄの第２外部記憶部４１１から暗号化結合情報を読み出し、読み出した暗号化結合情報を復号部３４２ｄへ出力する（ステップＳ２９１）。次に、復号部３４２ｄは、読出部３５１から暗号化結合情報を受け取り、固有情報記憶部３１０から固有情報を読み出し（ステップＳ２９２）、読み出した固有情報を鍵として用いて、受け取った暗号化結合情報に復号アルゴリズムＤ２を施して結合情報を生成し、生成した結合情報を分割部３４４へ出力する（ステップＳ２９３）。
【０１４５】
次に、分割部３４４は、復号部３４２ｄから結合情報を受け取り、受け取った結合情報を分割して、タイトル鍵と利用条件とを生成し、生成したタイトル鍵を復号部３４３ｄへ出力し、生成した利用条件を利用条件記憶部３０５へ書き込む（ステップＳ２９４）。
次に、読出部３５２は、メモリカード４００ｄの第１外部記憶部４１２から暗号化コンテンツ６０２を読み出し、読み出した暗号化コンテンツを復号部３４３ｄへ出力する（ステップＳ２９５）。次に、復号部３４３ｄは、読出部３５２から暗号化コンテンツを受け取り、分割部３４４からタイトル鍵を受け取り、受け取ったタイトル鍵を鍵として用いて、受け取った暗号化コンテンツに復号アルゴリズムＤ３を施して、コンテンツを生成し（ステップＳ２９６）、生成したコンテンツを内部記憶部３０３へ書き込む（ステップＳ２９７）。
【０１４６】
３．４  まとめ
コンテンツをメモリカード４００ｄに書き込む際に、携帯電話３００ｄは、タイトル鍵を生成し、利用条件を読み出し、タイトル鍵と利用条件とを結合して、結合情報を生成する。次に、固有情報を用いて、結合情報を暗号化して暗号化結合情報を生成し、生成した暗号化結合情報をメモリカード４００ｄの第２外部記憶部４１１へ書き込む。次に、携帯電話３００ｄは、内部記憶部３０３からコンテンツを読み出し、タイトル鍵を用いて、読み出したコンテンツを暗号化して暗号化コンテンツを生成し、生成した暗号化コンテンツをメモリカード４００ｄの第１外部記憶部４１２へ書き込む。
【０１４７】
また、メモリカード４００ｄからコンテンツを読み出す際に、携帯電話３００ｄは、メモリカード４００ｄの第２外部記憶部４１１から暗号化結合情報を読み出し、固有情報を用いて、読み出した暗号化結合情報を復号して結合情報を生成し、生成した結合情報を分割して、タイトル鍵と利用条件とを生成し、生成した利用条件を利用条件記憶部３０５へ書き込む。次に、携帯電話３００ｄは、メモリカード４００ｄの第１外部記憶部４１２から暗号化コンテンツを読み出し、タイトル鍵を用いて、暗号化コンテンツを復号してコンテンツを生成し、生成したコンテンツを内部記憶部３０３へ書き込む。
【０１４８】
また、コンテンツを再生する際に、携帯電話３００ｄは、利用条件記憶部３０５に記憶されている利用条件に基づいて、内部記憶部３０３に記憶されているコンテンツを再生する。
３．５  携帯電話３００ｄの利用者の処理手順
携帯電話３００ｄの利用者の処理手順について説明する。
【０１４９】
（１）利用者は、携帯電話３００ｄのコンテンツ購入部３０１により、コンテンツ配信用サーバ装置２００ｄのコンテンツ記憶部２０１に格納されているコンテンツの中から好きな利用条件付きコンテンツを購入し、購入した利用条件付きコンテンツをコンテンツ取得部３０２により受信する。購入したコンテンツは、携帯電話３００ｄの内部記憶部３０３に格納され、利用条件は、利用条件記憶部３０５に格納される。
【０１５０】
（２）次に、例えば、利用者が購入したコンテンツがカラオケデータであり、かつ購入したカラオケデータに付された利用条件がカラオケデータを１０回まで再生可能であることを示すならば、利用条件判定部３０６は、合計１０回まで、カラオケデータを再生部３０４により再生させることができる。
（３）また、利用者は、携帯電話３００ｄの内部記憶部３０３に記憶されているコンテンツ６０１及び利用条件記憶部３０５に記憶されている利用条件を、次の手順でメモリカード４００ｄに保存することができる。
【０１５１】
（３．１）利用者は、メモリカード４００ｄを携帯電話３００ｄに装着し、利用条件付きの購入済みコンテンツをメモリカードへ保存することを示す操作を選択する。
（３．２）このとき、タイトル鍵生成部３２１ｄによりコンテンツ毎に固有のタイトル鍵が生成され、連結部３２４により生成されたタイトル鍵と利用条件が連結されて結合情報が生成され、暗号部３２２ｄにより、結合情報は、固有情報記憶部３１０に格納されている固有情報に基づいて暗号化され、携帯電話３００ｄの認証部３９０とメモリカード４００ｄの認証部４９０による相互認証が成功した場合に、暗号化された結合情報は、書込部３３１によってメモリカード４００ｄの第２外部記憶部４１１に保存される。次に、内部記憶部３０３に格納さてれているコンテンツが、暗号部３２３ｄにより、タイトル鍵を用いて暗号化され書込部３３２によってメモリカード４００ｄの第１外部記憶部４１２に保存される。
【０１５２】
（４）また、利用者は、メモリカード４００ｄに格納されている暗号化結合情報及び暗号化コンテンツ６０２から、利用条件及びコンテンツを次の手順で携帯電話３００ｄの内部記憶部３０３に取り出すことができる。
（４．１）利用者は、メモリカード４００ｄを携帯電話３００ｄに装着し、メモリカード４００ｄから利用条件付き暗号化コンテンツの取得を示す操作を選択する。
【０１５３】
（４．２）このとき、携帯電話３００ｄの認証部３９０とメモリカード４００ｄの認証部４９０との間で、相互認証が成功した場合に、メモリカード４００ｄの第２外部記憶部４１１に格納されている暗号化結合情報が、読出部３５１によって読み出され、復号部３４２ｄにより、固有情報記憶部３１０に格納されている固有情報に基づいて復号され、復号された結合情報が分割部３４４により分割されて、タイトル鍵及び利用条件が生成され、利用条件は、利用条件記憶部３０５に格納される。また、メモリカード４００ｄの第１外部記憶部４１２に保存されている暗号化コンテンツは、読出部３５２によって読み出され、読み出された暗号化コンテンツは復号部３４３ｄによってタイトル鍵を用いて復号され、生成されたコンテンツが内部記憶部３０３に格納される。
【０１５４】
３．６  その他
（１）本実施の形態では、利用条件付き購入済みコンテンツをメモリカードに保存する、又はメモリカードから取得する手順について述べたが、コンテンツが購入済みかどうかは発明の本質ではなく、例えば、利用条件データ付きのお試し版の無償コンテンツに対しても、同様の手順を実行することができる。
【０１５５】
（２）暗号部３２２ｄ、３２３ｄ及び復号部３４２ｄ、３４３ｄにおいて用いられる暗号方式は、一例として、ＤＥＳである。
ＤＥＳを用いる場合に、固有情報記憶部３１０に格納されている固有情報としては、５６ビット長の固有鍵を用いるとすればよい。また、固有情報として、携帯電話の電話番号を用いるとしてもよい。後者の場合は、電話番号を入力すると５６ビット長の固有鍵を出力するような秘密の変換関数を用いるとすればよい。ここで秘密の変換関数としては、例えば、ＤＥＳ暗号を次のようにして用いることができる。すなわち、５６ビットの秘密固定値を鍵として、電話番号にＤＥＳによる暗号化を施して６４ビット長の出力値を生成し、生成した出力値の下位５６ビットを固有鍵として用いる。
【０１５６】
（３）また、固有情報記憶部３１０、内部記憶部３０３及び利用条件記憶部３０５は、後述する機種変更装置のように特別に許諾された装置以外では、外部から読み出したり、書き込んだりできないように保護されているものとする。具体的には、固有情報記憶部３１０、内部記憶部３０３及び利用条件記憶部３０５は、それぞれ耐タンパハードウエア、耐タンパソフトウエア、又はその両者の組み合わせで構成されているものとする。
【０１５７】
（４）固有情報記憶部３１０及び利用条件記憶部３０５は、携帯電話で利用されているＳＩＭカードのような携帯電話に着脱可能なカードに持たせる構成をとることも可能である。
（５）ＤＥＳ暗号を用いる場合、コンテンツを暗号化する際、コンテンツは、６４ビット毎のデータブロックに分割され、生成されたデータブロックが、それぞれ、５６ビットの固有鍵を用いて暗号化され、６４ビットの暗号化されたデータブロックが生成される。次に、６４ビットの暗号化された各データブロックは結合され、暗号化コンテンツとして出力される。
【０１５８】
（６）以上の構成により、利用条件付きのコンテンツを利用条件によって許諾された範囲内で再生することが可能となる。
また、携帯電話３００ｄの内部記憶部３０３は、一般にメモリ容量が限られている。従って、従来は、内部記憶部がデジタル著作物でいっぱいになった場合、利用者は、内部記憶部に記憶されているデジタル著作物を消去し、内部記憶部に空きメモリを確保してからデジタル著作物を購入するか、またデジタル著作物の購入をあきらめなければならなかった。
【０１５９】
しかし、実施の形態３によれば、実施の形態１及び実施の形態２の場合と同様に、携帯電話３００ｄの内部記憶部３０３に記録されているデジタル著作物のうち、すぐに利用しないもの等は、携帯電話３００ｄに装着されるメモリカード４００ｄに書き込む。これにより、既に購入済みのデジタル著作物を再生する権利を失うことなく、携帯電話３００ｄの内部記憶部３０３内に空きメモリを確保することができ、さらにデジタル著作物を購入して内部記憶部３０３内への格納が可能となる。
【０１６０】
（７）以上の構成により、ある携帯電話からメモリカードに、暗号化コンテンツを保存した場合、そのメモリカードを他の携帯電話に装着して、他の携帯電話において暗号化コンテンツを復号し、再生することは不可能となる。すなわち実施の形態３によれば、著作権者がコンテンツによっては要求する「ある携帯電話により、その携帯電話に装着されたメモリカードに保存したコンテンツは、他の携帯電話にメモリカードを装着しても復号、再生できないという権利」を保証できるという効果が得られる。
【０１６１】
４．実施の形態４
本発明に係る別の実施の形態４について説明する。
４．１  機種変更システム６００ｅ
ここでは、機種変更システム６００ｅについて説明する。
機種変更システム６００ｅは、利用者とサービス提供業者との間の契約により利用が許可された記録再生装置を、契約変更により新しい記録再生装置に変更する場合、例えば携帯電話の機種変更を行う場合に、記録媒体装置に記憶されたデジタル著作物を一切処理することなく、新しい記録再生装置において、前記録媒体装置に記憶されているデジタル著作物の利用を可能とする機種変更装置を提供することを目的とする。
【０１６２】
ここで、携帯電話の機種変更とは、利用者が現在利用している携帯電話には無い新しい機能が付加された新しい携帯電話が発売された時に、利用者が、新しい携帯電話に買い換えることをいう。
この機種変更を行なうと、実施の形態１〜３に示す携帯電話により、メモリカードに保存されている購入済コンテンツは、現在利用している携帯電話に固有の情報に基づいて暗号化されているため、新しい携帯電話では、利用できない。このことについては、上記において述べた通りである。
【０１６３】
このように、携帯電話の機種変更により、メモリカードに保存されている購入済みのコンテンツが、利用できなくると、利用者にとって不利益である。そこで、機種変更システム６００ｅは、このような問題を解決することを目的としている。
（機種変更システム６００ｅの構成）
機種変更システム６００ｅは、図２１に示すように、携帯電話Ａ３００ｅ、機種変更装置５００及び携帯電話Ｂ３００ｆから構成されており、携帯電話Ａ３００ｅ及び携帯電話Ｂ３００ｆは、それぞれ、機種変更装置５００に接続されている。
【０１６４】
携帯電話Ａ３００ｅは、実施の形態１〜３において説明した携帯電話と同じ構成を有しており、固有情報記憶部３１０ｅを有している。なお、その他の構成要素については、簡略化のため、図示していない。固有情報記憶部３１０ｅは、予め固有情報を記憶している。
また、携帯電話Ｂ３００ｆは、実施の形態１〜３において説明した携帯電話と同じ構成を有しており、固有情報記憶部３１０ｆを有している。なお、その他の構成要素については、簡略化のため、図示していない。固有情報記憶部３１０ｆは、固有情報を記憶するための領域を備えている。
【０１６５】
機種変更装置５００は、情報読出部５０１及び情報書込部５０２から構成されている。
情報読出部５０１は、携帯電話Ａ３００ｅが有している固有情報記憶部３１０ｅから固有情報を読み出し、固有情報記憶部３１０ｅに記憶されている固有情報を消去する。次に、読み出した固有情報を情報書込部５０２へ出力する。
【０１６６】
情報書込部５０２は、情報読出部５０１から固有情報を受け取り、受け取った固有情報を携帯電話Ｂ３００ｆが有する固有情報記憶部３１０ｆ内に書き込む。ここで、固有情報は、携帯電話Ａ３００ｅに固有の情報であり、例えば、携帯電話Ａ３００ｅに割り当てられた電話番号、又はランダムに生成し割り当てられた乱数値などであるとしてもよい。
【０１６７】
（機種変更システム６００ｅの動作）
機種変更システム６００ｅの動作について、図２２に示すフローチャートを用いて説明する。
情報読出部５０１は、固有情報記憶部３１０ｅから固有情報を読み出し（ステップＳ３０１）、固有情報記憶部３１０ｅに記憶されている固有情報を消去し（ステップＳ３０２）、次に、情報書込部５０２は、情報読出部５０１から受け取った固有情報を固有情報記憶部３１０ｆ内に書き込む（ステップＳ３０３）。
【０１６８】
（まとめ）
以上の構成により、メモリカードに保存された購入済みコンテンツは一切処理することなく、携帯電話Ｂにおいて、携帯電話Ａでメモリカードに保存した購入済みコンテンツの読出し、再生が可能となる。
４．２  機種変更システム６００ｇ
ここでは、機種変更システム６００ｇについて説明する。
【０１６９】
機種変更システム６００ｇは、図２３に示すように、携帯電話Ａ３００ｇ、機種変更装置５００及び携帯電話Ｂ３００ｈから構成されており、携帯電話Ａ３００ｇ及び携帯電話Ｂ３００ｈは、それぞれ、機種変更装置５００に接続されている。
携帯電話Ａ３００ｇは、実施の形態２〜３において説明した携帯電話と同じ構成を有しており、固有情報記憶部３１０ｇ及び利用条件記憶部３０５ｇを有している。なお、その他の構成要素については、簡略化のため、図示していない。固有情報記憶部３１０ｇは、予め固有情報を記憶している。また、利用条件記憶部３０５ｇは、予め利用条件を記憶している。
【０１７０】
また、携帯電話Ｂ３００ｈは、実施の形態２〜３において説明した携帯電話と同じ構成を有しており、固有情報記憶部３１０ｈ及び利用条件記憶部３０５ｈを有している。なお、その他の構成要素については、簡略化のため、図示していない。固有情報記憶部３１０ｈは、固有情報を記憶するための領域を備え、利用条件記憶部３０５ｈは、利用条件を記憶するための領域を備えている。
【０１７１】
機種変更装置５００は、情報読出部５０１及び情報書込部５０２から構成されている。
情報読出部５０１は、携帯電話Ａ３００ｇが有している固有情報記憶部３１０ｇから固有情報を読み出し、利用条件記憶部３０５ｇから利用条件を読み出す。次に、情報読出部５０１は、固有情報記憶部３１０ｇに記憶されている固有情報を消去し、利用条件記憶部３０５ｇに記憶されている利用条件を消去する。次に、情報読出部５０１は、読み出した固有条件及び利用条件を情報書込部５０２へ出力する。
【０１７２】
情報書込部５０２は、情報読出部５０１から固有情報及び利用条件を受け取り、受け取った固有情報を携帯電話Ｂ３００ｈが有する固有情報記憶部３１０ｈ内に書き込み、受け取った利用条件を携帯電話Ｂ３００ｈが有する利用条件記憶部３０５ｈ内に書き込む。
以上の構成により、メモリカードに保存された利用条件付きの購入済みコンテンツは一切処理することなく、携帯電話Ｂにおいて、メモリカードに保存された携帯電話Ａで保存した購入済みコンテンツの読出し、再生が可能となる。
【０１７３】
４．３  変形例
携帯電話の機種変更や解約を行うとき、携帯電話の利用者は、ドコモショップのような携帯電話のサービス提供業者の店舗に携帯電話を持って行き、店舗内において、機種変更や解約の処理が行われる。ここで、携帯電話の解約とは、利用者と携帯電話のサービス提供業者との間で締結された契約を解除することを言う。携帯電話の解約により、契約締結時に携帯電話に割り当てられた電話番号は、使用できなくなる。
【０１７４】
ここでは、携帯電話の機種変更や解約を行うとき、利用者が店舗に足を運ぶ手間を省くことを目的とする機種変更装置について説明する。
機種変更や解約時に必要な要件として、以下のものが考えられる。
（要件ａ）携帯電話の機種変更を行った後には、引継ぎ先の携帯電話（つまり、新しく買い換える携帯電話）において、メモリカードに記憶されているコンテンツの再生ができるようにし、引継ぎ元の携帯電話（つまり、今、使っている携帯電話）において、前記メモリカードに記憶されているコンテンツの再生ができないようにする。
（要件ｂ）携帯電話を解約した後においても、メモリカードに記憶されているコンテンツの再生は引き続きできるようにする。つまり、解約した携帯電話は、電話機としては使えないが、購入したコンテンツは再生する再生装置としては使用できる。
（要件ｃ）携帯電話のサービス提供業者＝キャリア＝を変更しても、変更後において、メモリカードに記憶されているコンテンツを再生できるようにする。例えば、サービス提供業者をドコモからａｕに変更した場合であっても、コンテンツを再生できるようにする。
【０１７５】
（１）機種変更システム６００ｍ
機種変更システム６００ｍは、（要件ａ）を実現することを目的としており、引継ぎ先の携帯電話に、引継ぎ元の携帯電話が有している固有情報をネットワークを介して格納し、また、引継ぎ元の携帯電話の固有情報をネットワークを介した消去する。
【０１７６】
機種変更システム６００ｍは、図２４に示すように、携帯電話Ａ３００ｍと携帯電話Ｂ３００ｎとパーソナルコンピュータ（ＰＣ）６５０と機種変更装置５００ｍとから構成されている。ＰＣ６５０と機種変更装置５００ｍとは、インターネット１０を介して接続されている。また、携帯電話Ａ３００ｍは、引継ぎ元の携帯電話であり、携帯電話Ｂ３００ｎは、引継ぎ先の携帯電話である。
【０１７７】
（携帯電話Ａ３００ｍ）
携帯電話Ａ３００ｍは、実施の形態１〜３において説明した携帯電話と同じ構成を有しており、固有情報記憶部３１０ｍを有している。さらに、判定部３６０ｍを有している。なお、その他の構成要素については、簡略化のため、図示していない。
【０１７８】
固有情報記憶部３１０ｍは、予め固有情報を記憶している。
判定部３６０ｍは、携帯電話Ａ３００ｍが、ＰＣ６５０及びインターネット１０を介して機種変更装置５００ｍと接続されたときに、機種変更装置５００ｍから後述する第１機種変更情報を受信し、受信した第１機種変更情報に含まれる署名情報を用いて、第１機種変更情報が正当な情報であるか否かを判定する。ここで、署名情報を用いて、第１機種変更情報が正当な情報であるか否かを判定する方法については、デジタル署名として公知であるので、詳細の説明を省略する。正当であると判定すると、判定部３６０ｍは、第１機種変更情報に含まれる読出命令に従って、固有情報記憶部３１０ｍから固有情報を読み出し、読み出した固有情報を、ＰＣ６５０及びインターネット１０を介して機種変更装置５００ｍへ送信する。また、正当であると判定すると、判定部３６０ｍは、第１機種変更情報に含まれる消去命令に従って、固有情報記憶部３１０ｍに記憶されている固有情報を消去する。正当であると判定しない場合には、判定部３６０ｍは、受信した第１機種変更情報を廃棄し、何もしない。
【０１７９】
（携帯電話Ｂ３００ｎ）
携帯電話Ｂ３００ｎは、実施の形態１〜３において説明した携帯電話と同じ構成を有しており、固有情報記憶部３１０ｎを有している。さらに、判定部３６０ｎを有している。なお、その他の構成要素については、簡略化のため、図示していない。
【０１８０】
固有情報記憶部３１０ｎは、固有情報を記憶するための領域を備えている。
判定部３６０ｎは、携帯電話Ｂ３００ｎが、ＰＣ６５０及びインターネット１０を介して機種変更装置５００ｍと接続されたときに、機種変更装置５００ｍから後述する第２機種変更情報を受信し、受信した第２機種変更情報に含まれる署名情報を用いて、第２機種変更情報が正当な情報であるか否かを判定する。正当であると判定すると、判定部３６０ｎは、第２機種変更情報に含まれる書込命令に従って、第２機種変更情報から固有情報を抽出し、抽出した固有情報を固有情報記憶部３１０ｎに書き込む。正当であると判定しない場合には、判定部３６０ｎは、受信した第２機種変更情報を廃棄し、何もしない。
【０１８１】
（ＰＣ６５０）
ＰＣ６５０は、具体的には、マイクロプロセッサ、ＲＯＭ、ＲＡＭ、ハードディスクユニット、ディスプレィユニット、キーボード、マウス、ＬＡＮ接続ユニット、携帯電話との接続ユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、ＰＣ６５０は、その機能を達成する。
【０１８２】
ＰＣ６５０は、利用者から機種変更のための操作を受け付けると、インターネット１０を介して、機種変更装置５００ｍへ機種変更指示を送信する。
その後、ＰＣ６５０は、携帯電話Ａ３００ｍと機種変更装置５００ｍとの間でインターネット１０を介して情報の送受信を行い、携帯電話Ｂ３００ｎと機種変更装置５００ｍとの間でインターネット１０を介して情報の送受信を行う。
【０１８３】
（機種変更装置５００ｍ）
機種変更装置５００ｍは、機種変更装置５００と同様の構成を有しており、さらに、送受信部５０５を備える。
送受信部５０５は、ＰＣ６５０からインターネット１０を介して、機種変更指示を受信する。機種変更指示を受信すると、送受信部５０５は、第１機種変更情報を生成する。ここで、第１機種変更情報は、本情報が正当であることを示す署名情報、固有情報を読み出すことを指示する読出命令及び固有情報を消去することを示す消去命令を含む。次に、送受信部５０５は、生成した第１機種変更情報を携帯電話Ａ３００ｍへ送信する。
【０１８４】
また、送受信部５０５は、携帯電話Ａ３００ｍから固有情報を受信する。
次に、送受信部５０５は、第２機種変更情報を生成する。ここで、第２機種変更情報は、本情報が正当であることを示す署名情報、受信した固有情報及び固有情報を書き込むことを指示する読出命令を含む。次に、送受信部５０５は、生成した第２機種変更情報を携帯電話Ｂ３００ｎへ送信する。
【０１８５】
（機種変更システム６００ｍの動作）
機種変更システム６００ｍの動作について、図２５に示すフローチャートを用いて説明する。
ここで、携帯電話Ａ３００ｍと携帯電話Ｂ３００ｎとが、利用者により、ＰＣ６５０に接続される。
【０１８６】
ＰＣ６５０は、利用者から機種変更のための操作を受け付けると（ステップＳ５０１）、インターネット１０を介して、機種変更装置５００ｍへ機種変更指示を送信する（ステップＳ５０２）。
機種変更装置５００ｍの送受信部５０５は、ＰＣ６５０からインターネット１０を介して、機種変更指示を受信し（ステップＳ５０２）、第１機種変更情報を生成し（ステップＳ５０３）、生成した第１機種変更情報を携帯電話Ａ３００ｍへ送信する（ステップＳ５０４）。
【０１８７】
携帯電話Ａ３００ｍの判定部３６０ｍは、第１機種変更情報を受信し（ステップＳ５０４）、固有情報記憶部３１０ｍから固有情報を読み出し（ステップＳ５０５）、読み出した固有情報を、ＰＣ６５０及びインターネット１０を介して機種変更装置５００ｍへ送信する（ステップＳ５０６）。判定部３６０ｍは、固有情報記憶部３１０ｍに記憶されている固有情報を消去する（ステップＳ５０７）。
【０１８８】
機種変更装置５００ｍの送受信部５０５は、携帯電話Ａ３００ｍから固有情報を受信し（ステップＳ５０６）、第２機種変更情報を生成し（ステップＳ５０８）、生成した第２機種変更情報を携帯電話Ｂ３００ｎへ送信する（ステップＳ５０９）。
携帯電話Ｂ３００ｎの判定部３６０ｎは、機種変更装置５００ｍから第２機種変更情報を受信し（ステップＳ５０９）、第２機種変更情報から固有情報を抽出し、抽出した固有情報を固有情報記憶部３１０ｎに書き込む（ステップＳ５１０）。
【０１８９】
（２）変形例
ここでは、（要件ｂ）を実現することを目的とする機種変更システム６００ｍの変形例について説明する。
ここで説明する変形例では、携帯電話が記憶している固有情報は、電話番号とは異なる別の固有情報を用いて生成されている。つまり、コンテンツは、電話番号ではなく、別の固有情報に基づいて暗号化されてメモリカードに格納されている。つまり、コンテンツは、電話番号ではない別の固有情報にバインドして記憶媒体に格納される。
【０１９０】
また、解約時には、携帯電話内の電話番号を利用できなくするために、電話番号を消去する。ただし、コンテンツの再生を引き続き可能とするために、別の固有情報は、そのまま保持を継続する。
機種変更システム６００ｍの変形例は、機種変更システム６００ｍと同様の構成を有しており、携帯電話Ａ３００ｍとパーソナルコンピュータ（ＰＣ）６５０と機種変更装置５００ｍとから構成されている。ＰＣ６５０と機種変更装置５００ｍとは、インターネット１０を介して接続されている。また、携帯電話Ａ３００ｍは、利用者が解約しようとしている携帯電話である。
【０１９１】
携帯電話Ａ３００ｍの固有情報記憶部３１０ｍは、携帯電話Ａ３００ｍに固有の情報、例えば、ランダムに生成し割り当てられた乱数値などに加え、携帯電話Ａ３００ｍに割り当てられた電話番号を記憶している。
利用者は、携帯電話Ａ３００ｍをＰＣ６５０に接続し、ＰＣ６５０に対して携帯電話の解約のための操作を行う。
【０１９２】
ＰＣ６５０は、利用者から携帯電話の解約のための操作を受け付けると、携帯電話Ａ３００ｍに対して解約指示を出力する。
次に、携帯電話Ａ３００ｍの判定部３６０ｍは、解約指示を受け取る。解約指示を受け取ると、判定部３６０ｍは、固有情報記憶部３１０ｍから電話番号を読み出し、読み出した電話番号を、ＰＣ６５０及びインターネット１０を介して、機種変更装置５００ｍへ送信する。
【０１９３】
機種変更装置５００ｍの送受信部５０５は、携帯電話Ａ３００ｍから、ＰＣ６５０及びインターネット１０を介して、電話番号を受信し、受信した電話番号に基づいて、解約の処理を行う。
（３）変形例
ここでは、（要件ｃ）を実現することを目的とする機種変更システム６００ｍの変形例について説明する。
【０１９４】
通常キャリアを変えると電話番号が変わるので、ここで説明する変形例では、携帯電話が記憶している固有情報は、電話番号とは異なる別の固有情報を用いて生成されている。つまり、コンテンツは、電話番号ではなく、別の固有情報に基づいて暗号化されてメモリカードに格納されている。つまり、コンテンツは、電話番号ではない別の固有情報にバインドして記憶媒体に格納される。また、別の固有情報は、そのまま保持される。
【０１９５】
機種変更システム６００ｍの変形例は、機種変更システム６００ｍと同様の構成を有しており、携帯電話Ａ３００ｍとパーソナルコンピュータ（ＰＣ）６５０と機種変更装置５００ｍとから構成されている。ＰＣ６５０と機種変更装置５００ｍとは、インターネット１０を介して接続されている。また、携帯電話Ａ３００ｍは、利用者がサービス提供業者を変更しようとしている携帯電話である。
【０１９６】
機種変更システム６００ｍの変形例の動作について、図２６に示すフローチャートを用いて説明する。
携帯電話Ａ３００ｍの固有情報記憶部３１０ｍは、携帯電話Ａ３００ｍに固有の情報、例えば、ランダムに生成し割り当てられた乱数値などに加え、携帯電話Ａ３００ｍに割り当てられた旧電話番号を記憶している。
【０１９７】
利用者は、携帯電話Ａ３００ｍをＰＣ６５０に接続し、ＰＣ６５０に対して携帯電話のサービス提供業者を変更するための操作を行う。
ＰＣ６５０は、利用者からサービス提供業者を変更するための操作を受け付けると（ステップＳ５３１）、携帯電話Ａ３００ｍに対して旧電話番号の読み出しを指示し（ステップＳ５３２）、判定部３６０ｍは、固有情報記憶部３１０ｍから旧電話番号を読み出し、読み出した旧電話番号をＰＣ６５０へ出力する（ステップＳ５３４）。
【０１９８】
次に、ＰＣ６５０は、携帯電話Ａ３００ｍから旧電話番号を受け取り（ステップＳ５３４）、業者変更指示を生成し、生成した業者変更指示と受け取った旧電話番号とをインターネット１０を介して、機種変更装置５００ｍへ送信する（ステップＳ５３５）。
機種変更装置５００ｍの送受信部５０５は、旧電話番号による解約処理を行い（ステップＳ５３６）、サービス提供業者による新規契約処理を行い（ステップＳ５３７）、新電話番号を設定し（ステップＳ５３８）、設定した新電話番号を、インターネット１０を介して、ＰＣ６５０へ送信する（ステップＳ５３９）。
【０１９９】
ＰＣ６５０は、新電話番号を受信し（ステップＳ５３９）、受信した新電話番号を携帯電話Ａ３００ｍへ出力する（ステップＳ５４０）。
携帯電話Ａ３００ｍの判定部３６０ｍは、新電話番号を受け取り（ステップＳ５３９）、固有情報記憶部３１０ｍに記憶されている旧電話番号を消去し（ステップＳ５４１）、受け取った新電話番号を固有情報記憶部３１０ｍに書き込む（ステップＳ５４２）。
【０２００】
（４）その他の変形例
上記において、要件（ａ）〜（ｃ）をそれぞれ満たす機種変更システムについて説明している。これらの機種変更システムは、インターネットを介して、機種変更、解約、キャリア変更を行うようにしている。
しかし、これら要件（ａ）〜（ｃ）をそれぞれ満たす機種変更システムにおいて適用した技術を、インターネットを利用しない機種変更システムに適用してもよい。すなわち、上記において説明したインターネットを利用しない機種変更システム６００ｅにおいて、要件（ａ）〜（ｃ）をそれぞれ満たすように構成してもよい。また、インターネットを利用しない機種変更システム６００ｇにおいて、要件（ａ）〜（ｃ）をそれぞれ満たすように構成してもよい。
【０２０１】
４．４  その他
実施の形態４において、携帯電話は、固有情報記憶部をＳＩＭカード内に保持し、機種変更を行う際に、利用者がＳＩＭカードを携帯電話Ａから抜き取り、抜き取ったＳＩＭカードを携帯電話Ｂに装着しなおすようにしてもよい。また、機種変更を行う際に、機種変更装置が、ＳＩＭカードを携帯電話Ａから抜き取り、抜き取ったＳＩＭカードを携帯電話Ｂに装着しなおすようにしてもよい。
【０２０２】
以上の説明から明らかなように、本発明による携帯電話が有する内部記憶部３０３は、一般にメモリ容量が限られている。従って、従来は、内部記憶部がデジタル著作物でいっぱいになった場合、利用者は内部記憶部に格納されているデジタル著作物を一旦消去し、空きメモリを確保してからデジタル著作物を購入するか、又は利用者はデジタル著作物の購入をあきらめなければならなかった。
【０２０３】
しかし、本発明によれば、携帯電話である記録再生装置（本体装置）の内部記憶領域に記録されたデジタル著作物のうちすぐに利用しないもの等は、記録再生装置に装着される記録媒体装置に書き込み、それによって、既に購入済みのデジタル著作物を再生する権利を失うことなく、記録再生装置の内部記憶領域に空きメモリを確保することができ、さらなるデジタル著作物の購入して、内部記憶領域に格納することが可能となる。
【０２０４】
しかも以上の構成により、ある記録再生装置が記録媒体装置に暗号化コンテンツを保存した場合、その記録媒体装置を他の記録再生装置に装着して、他の記録再生装置において暗号化コンテンツを復号し、再生することは不可能となる。すなわち本発明によれば、著作権者がコンテンツによっては要求する「ある記録再生装置から、その記録再生装置に装着された記録媒体装置に保存したコンテンツは、他の記録再生装置に記録媒体装置を装着しても復号、再生できないという権利」を保証できるという効果が得られる。
【０２０５】
また、本発明によれば、利用条件付きのコンテンツを利用条件によって許諾された範囲内で再生することが可能となるという効果が得られる。
また、本発明によれば、ある記録再生装置から他の記録再生装置に変更する場合、記録媒体装置に保存された購入済みコンテンツは一切処理することなく、新しい記録再生装置において、前の記録再生装置で保存した購入済みコンテンツの読出し、再生が可能となるという効果が得られる。
【０２０６】
５．実施の形態５
本発明に係る実施の形態５としてのデジタル著作物配信システム１００ｉ（図示していない）について説明する。
デジタル著作物配信システム１００ｉは、デジタル著作物配信システム１００と同様の構成を有している。ここでは、デジタル著作物配信システム１００との相違点を中心として説明する。
【０２０７】
デジタル著作物配信システム１００ｉは、携帯電話３００に代えて、携帯電話３００ｉを含み、メモリカード４００に代えて、メモリカード４００ｉ又はメモリカード４００ｐを含んでいる。
利用者は、携帯電話３００ｉに、メモリカード４００ｉ又はメモリカード４００ｐの何れか一方を装着する。
【０２０８】
５．１  メモリカード４００ｉの構成
メモリカード４００ｉは、図２７に示すように、種別記憶部４１４、認証部４９０、第１外部記憶部４１２及び第２外部記憶部４１１から構成されている。
種別記憶部４１４は、メモリカード４００ｉが属する種別を示す第２種別情報を予め記憶している。
【０２０９】
認証部４９０は、携帯電話３００ｉが有する認証部３９０との間で、チャレンジ−レスポンス型の相互の機器認証を行う。
第１外部記憶部４１２は、コンテンツが暗号化された暗号化コンテンツを記憶するための領域を備えている。
第２外部記憶部４１１は、認証部４９０による機器認証が成功した場合にのみ、相手の携帯電話３００ｉによる情報の読出し及び情報の書込みを許可する記憶ユニットであり、後述する暗号化結合情報を記憶するための領域を備えている。
【０２１０】
５．２  メモリカード４００ｐの構成
メモリカード４００ｐは、図２７に示すように、種別記憶部４１５及び外部記憶部４１０から構成されている。
種別記憶部４１５は、メモリカード４００ｐが属する種別を示す第１種別情報を予め記憶している。
【０２１１】
外部記憶部４１０は、コンテンツが暗号化された暗号化コンテンツを記憶するための領域を備えている。
ここで、メモリカード４００ｉとメモリカード４００ｐとは、メモリカード４００ｉは、認証部を有しており、メモリカード４００ｐは、認証部を有していない点において、相違する。
【０２１２】
５．３  携帯電話３００ｉ
携帯電話３００ｉは、図２７に示すように、携帯電話３００が有する暗号復号部３８０に代えて、第１暗号復号部３８２及び第２暗号復号部３８１を有し、さらに種別読出部３９１及び認証部３９０を備えている。他の構成要素については、携帯電話３００が有する構成要素と同じである。
【０２１３】
（１）種別読出部３９１
メモリカード４００ｉ又はメモリカード４００ｐの何れか一方が、携帯電話３００ｉに装着されると、種別読出部３９１は、それぞれ、メモリカード４００ｉに含まれる種別記憶部４１４から第２種別情報を読み出し、又はメモリカード４００ｐに含まれる種別記憶部４１５から第１種別情報を読み出す。
【０２１４】
次に、種別読出部３９１は、読み出した第１種別情報又は第２種別情報を制御部３６６ｉへ出力する。
（２）制御部３６６ｉ
制御部３６６ｉは、種別読出部３９１から第１種別情報又は第２種別情報を受け取る。
【０２１５】
第１種別情報を受け取ると、制御部３６６ｉは、第１暗号復号部３８２に対して暗号復号処理をするように制御する。
第２種別情報を受け取ると、制御部３６６ｉは、認証部３９０に対して、メモリカード４００ｉとの間で相互の認証を行うように指示する。次に、認証部３９０から認証成功を示す認証結果を受け取ると、制御部３６６ｉは、第２暗号復号部３８１に対して暗号復号処理をするように制御する。認証部３９０から認証失敗を示す認証結果を受け取ると、制御部３６６ｉは、処理を中止する。
【０２１６】
（３）認証部３９０
認証部３９０は、制御部３６６ｉから認証の指示を受け取り、メモリカード４００ｉが有する認証部４９０との間で、チャレンジ−レスポンス型の相互の機器認証を行い、認証成功及び認証失敗のいずれかを示す認証結果を制御部３６６ｉへ出力する。
【０２１７】
（４）第２暗号復号部３８１
第２暗号復号部３８１は、暗号復号部３８０ｂと同様の構成を有している。
つまり、第２暗号復号部３８１は、タイトル鍵を生成し、固有鍵を用いてタイトル鍵を暗号化して暗号化タイトル鍵を生成する。また、タイトル鍵を用いてコンテンツを暗号化して暗号化コンテンツを生成する。
【０２１８】
また、第２暗号復号部３８１は、メモリカード４００ｉから読み出された暗号化タイトル鍵を固有情報を用いて復号してタイトル鍵を生成する。また、メモリカード４００ｉから読み出された暗号化コンテンツを、生成されたタイトル鍵を用いて復号してコンテンツを生成する。
（５）第１暗号復号部３８２
第１暗号復号部３８２は、暗号復号部３８０と同様の構成を有している。
【０２１９】
つまり、第１暗号復号部３８２は、固有鍵を用いてコンテンツを暗号化して暗号化コンテンツを生成する。また、第１暗号復号部３８２は、メモリカード４００ｐから読み出された暗号化コンテンツを固有鍵を用いて復号してコンテンツを生成する。
５．４  デジタル著作物配信システム１００ｉの動作
デジタル著作物配信システム１００ｉの動作について、図２８に示すフローチャートを用いて説明する。
【０２２０】
メモリカード４００ｉ又はメモリカード４００ｐの何れか一方が、携帯電話３００ｉに装着されると、種別読出部３９１は、それぞれ、メモリカード４００ｉに含まれる種別記憶部４１４から第２種別情報を読み出し、又はメモリカード４００ｐに含まれる種別記憶部４１５から第１種別情報を読み出し、読み出した第１種別情報又は第２種別情報を制御部３６６ｉへ出力する（ステップＳ３５１）。
【０２２１】
次に、第１種別情報を受け取ると（ステップＳ３５２）、制御部３６６ｉは、第１暗号復号部３８２に対して暗号復号処理をするように制御し、第１暗号復号部３８２は、暗号復号処理を行う（ステップＳ３５８）。
一方、第２種別情報を受け取ると（ステップＳ３５２）、制御部３６６ｉは、認証部３９０に対して認証を行うように指示し、認証部３９０は、メモリカード４００ｉの認証部４９０に対して機器認証を行い（ステップＳ３５３）、認証結果が成功である場合（ステップＳ３５４）、さらに認証部３９０は、メモリカード４００ｉの認証部４９０により機器認証を受ける（ステップＳ３５５）。ここで認証結果が成功である場合（ステップＳ３５６）、制御部３６６ｉは、第２暗号復号部３８１に対して暗号復号処理を行うように制御し、第２暗号復号部３８１は、暗号復号処理を行う（ステップＳ３５７）。
【０２２２】
ステップＳ３５４において認証結果が失敗である場合、又はステップＳ３５６において認証結果が失敗である場合、制御部３６６ｉは、処理を中止する。
５．５  まとめ
以上説明したように、実施の形態５によると、携帯電話は、装着されたメモリカードが認証部を有しているか否かを、メモリカードの種別により判断し、メモリカードが認証部を有していると判断する場合には、第２暗号復号部による暗号復号処理を行う。メモリカードが認証部を有していないと判断する場合には、第１暗号復号部による暗号復号処理を行う。
【０２２３】
６．実施の形態６
本発明に係る実施の形態６としてのデジタル著作物配信システム１００ｊ（図示していない）について説明する。
デジタル著作物配信システム１００ｊは、デジタル著作物配信システム１００ｃと同様の構成を有している。ここでは、デジタル著作物配信システム１００ｃとの相違点を中心として説明する。
【０２２４】
デジタル著作物配信システム１００ｊは、コンテンツ配信用サーバ装置２００、携帯電話３００及びメモリカード４００に代えて、コンテンツ配信用サーバ装置２００ｊ、携帯電話３００ｊ及びメモリカード４００ｊを含んでいる。デジタル著作物配信システム１００ｊは、さらに、課金装置（図示していない）を含んでいる。コンテンツ配信用サーバ装置２００ｊと課金装置とは、インターネット１０を介して接続されている。
【０２２５】
（１）コンテンツ配信用サーバ装置２００ｊ
コンテンツ配信用サーバ装置２００ｊのコンテンツ記憶部２０１は、図２９に一例として示すように、権利情報テーブル６１０を有している。
権利情報テーブル６１０は、利用者ＩＤとコンテンツＩＤと利用権利情報とから構成される利用情報を記憶するための領域を複数個含んで構成される。
【０２２６】
利用者ＩＤは、利用者を識別する識別子である。
コンテンツＩＤは、コンテンツを識別する識別子である。
利用権利情報は、利用者によるコンテンツを使用する権利を示す。
（２）メモリカード４００ｊ
メモリカード４００ｊは、図３０に一例として示すように、第１外部記憶部４１２ｊ及び第２外部記憶部４１１ｊを含んで構成される。
【０２２７】
第１外部記憶部４１２ｊは、暗号化コンテンツを記憶するための領域を備えている。また、第２外部記憶部４１１ｊは、コンテンツＩＤと利用権利情報とからなる情報を記憶するための領域を備えている。
ここで、第２外部記憶部４１１ｊは、携帯電話３００ｊとメモリカード４００ｊとの間の相互の認証が成功したとき初めて読み書き可能となる領域である。
【０２２８】
（３）携帯電話３００ｊ
携帯電話３００ｊは、あらかじめ携帯電話３００ｊの利用者を識別する利用者ＩＤを記憶している。
（４）デジタル著作物配信システム１００ｊの動作
デジタル著作物配信システム１００ｊの動作について、図３１〜図３２に示すフローチャートを用いて説明する。
【０２２９】
最初に、コンテンツ配信用サーバ装置２００ｊからコンテンツを取得する場合の動作について説明する。
携帯電話３００ｊのコンテンツ購入部３０１は、入力部３６５からコンテンツＩＤを受け取り、内部に記憶している利用者ＩＤと前記コンテンツＩＤとをコンテンツ配信用サーバ装置２００ｊへ送信する（ステップＳ３７１）。
【０２３０】
コンテンツ配信用サーバ装置２００ｊは、利用者ＩＤとコンテンツＩＤとを受け取り（ステップＳ３７１）、受け取ったコンテンツＩＤを用いて、コンテンツ代金の計算を行い（ステップＳ３７２）、受け取った利用者ＩＤとコンテンツＩＤと計算したコンテンツ代金とを課金装置へ送信する（ステップＳ３７３）。
課金装置は、利用者ＩＤとコンテンツＩＤとコンテンツ代金とを受け取り（ステップＳ３７３）、受け取った利用者ＩＤが示す利用者について、受け取ったコンテンツ代金に基づいて課金処理を行って、課金処理を行ったことを示す支払証明を生成し（ステップＳ３７４）、利用者ＩＤとコンテンツＩＤと支払証明とをコンテンツ配信用サーバ装置２００ｊへ送信する（ステップＳ３７５）。
【０２３１】
コンテンツ配信用サーバ装置２００ｊは、利用者ＩＤとコンテンツＩＤと支払証明とを受信し（ステップＳ３７５）、受け取ったコンテンツＩＤに対応するコンテンツをコンテンツ記憶部２０１から読み出し（ステップＳ３７６）、読み出したコンテンツの利用権利情報を生成し（ステップＳ３７７）、受け取った利用者ＩＤとコンテンツＩＤと生成した利用権利情報とを対応づけてコンテンツ記憶部２０１内の権利情報テーブル６１０に書き込む（ステップＳ３７８）。次に、コンテンツ配信用サーバ装置２００ｊは、読み出したコンテンツと、生成した利用権利情報と、受け取ったコンテンツＩＤとを携帯電話３００ｊへ送信する（ステップＳ３７９）。
【０２３２】
携帯電話３００ｊは、コンテンツと利用権利情報とコンテンツＩＤとを受け取り（ステップＳ３７９）、受け取ったコンテンツを暗号化してメモリカード４００ｊの第１外部記憶部４１２ｊへ書き込み（ステップＳ３８０）、受け取った利用権利情報とコンテンツＩＤとを対応付けて、メモリカード４００ｊの第２外部記憶部４１１ｊへ書き込む（ステップＳ３８１）。
【０２３３】
次に、利用者がメモリカード４００ｊに書き込まれた暗号化コンテンツを誤って消去した場合におけるコンテンツの再取得の動作について説明する。
携帯電話３００ｊは、メモリカード４００ｊの第２外部記憶部４１１ｊからコンテンツＩＤと利用権利情報とからなる組を読み出す（ステップＳ３９１）。次に、利用者ＩＤとコンテンツＩＤと利用権利情報とをコンテンツ配信用サーバ装置２００ｊへ送信する（ステップＳ３９２）。
【０２３４】
コンテンツ配信用サーバ装置２００ｊは、利用者ＩＤとコンテンツＩＤと利用権利情報とを受信し（ステップＳ３９２）、受信した利用者ＩＤとコンテンツＩＤと利用権利情報とからなる組と、同じ内容の組が権利情報テーブル６１０内に存在するか否かを判断し、存在する場合（ステップＳ３９３）、前記組に含まれるコンテンツＩＤに対応するコンテンツをコンテンツ記憶部２０１から読み出し（ステップＳ３９４）、読み出したコンテンツを携帯電話３００ｊへ送信する（ステップＳ３９５）。
【０２３５】
携帯電話３００ｊは、コンテンツを受信し（ステップＳ３９５）、受信したコンテンツを暗号化してメモリカード４００ｊへ書き込む（ステップＳ３９６）。
受信した利用者ＩＤとコンテンツＩＤと利用権利情報とからなる組と、同じ内容の組が権利情報テーブル６１０内に存在しないと判断する場合（ステップＳ３９３）、コンテンツ配信用サーバ装置２００ｊは、受信した利用者ＩＤとコンテンツＩＤと利用権利情報とを廃棄し、その後何もしない。
【０２３６】
７．実施の形態７
本発明に係る実施の形態７としてのデジタル著作物配信システム１００ｋ（図示していない）について説明する。
デジタル著作物配信システム１００ｋは、デジタル著作物配信システム１００ｃと同様の構成を有している。ここでは、デジタル著作物配信システム１００ｃとの相違点を中心として説明する。
【０２３７】
デジタル著作物配信システム１００ｋは、コンテンツ配信用サーバ装置２００ｃ、携帯電話３００ｃ及びメモリカード４００に代えて、コンテンツ配信用サーバ装置２００ｋ、携帯電話３００ｋ及びメモリカード４００ｋを含んでいる。
（１）コンテンツ配信用サーバ装置２００ｋ
コンテンツ配信用サーバ装置２００ｋのコンテンツ記憶部２０１は、図３３に一例として示すように、コンテンツ情報テーブル６２０を有している。
【０２３８】
コンテンツ情報テーブル６２０は、コンテンツＩＤとコンテンツと固有情報種別とから構成されるコンテンツ情報を複数個含んで構成される。
コンテンツＩＤは、コンテンツを識別する識別子である。
コンテンツは、音楽や映画などのデジタル著作物である。
固有情報種別は、前記コンテンツが、メモリカード４００ｋに暗号化されて書き込まれるときに、どの固有情報に基づいて暗号化されるかを示している。固有情報種別は、この図に示すように、一例として、「媒体固有」及び「機器固有」のいずれかからなる。
【０２３９】
（２）メモリカード４００ｋ
メモリカード４００ｋは、図３４に示すように、認証部４９０、第２外部記憶部４１１ｋ及び第１外部記憶部４１２ｋを含んで構成される。
第２外部記憶部４１１ｋは、メモリカード４００ｋに固有の媒体固有情報を予め記憶している。また、第１外部記憶部４１２ｋは、固有情報種別と暗号化コンテンツとを対応付けて記憶するめたの領域を備えている。
【０２４０】
認証部４９０は、携帯電話３００ｋが有する認証部３９０との間で、チャレンジ−レスポンス型の相互の機器認証を行う。
（３）携帯電話３００ｋ
携帯電話３００ｋは、図３４に示すように、携帯電話３００が有する暗号復号部３８０に代えて、第１暗号復号部３８２及び第３暗号復号部３８３を有し、さらに認証部３９０を備えている。他の構成要素については、携帯電話３００が有する構成要素と同じである。
【０２４１】
（固有情報記憶部３１０）
固有情報記憶部３１０は、携帯電話３００ｋに固有の情報に基づいて生成された機器固有情報を予め記憶している。
（認証部３９０）
認証部３９０は、メモリカード４００ｋが有する認証部４９０との間で、チャレンジ−レスポンス型の相互の機器認証を行い、認証成功及び認証失敗のいずれかを示す認証結果を制御部３６６ｋへ出力する。
【０２４２】
（制御部３６６ｋ）
制御部３６６ｋは、認証部３９０から認証成功及び認証失敗のいずれかを示す認証結果を受け取る。
認証成功を示す認証結果を受け取ると、制御部３６６ｋは、固有情報種別に基づいて、第１暗号復号部３８２及び第３暗号復号部３８３のいずれかに対して、暗号復号処理を行うように制御する。
【０２４３】
（第１暗号復号部３８２）
第１暗号復号部３８２は、暗号復号部３８０と同様の構成を有している。
つまり、第１暗号復号部３８２は、機器固有情報を用いてコンテンツを暗号化して暗号化コンテンツを生成する。また、第１暗号復号部３８２は、メモリカード４００ｋから読み出された暗号化コンテンツを機器固有情報を用いて復号してコンテンツを生成する。
【０２４４】
（第３暗号復号部３８３）
第３暗号復号部３８３は、メモリカード４００ｋの第２外部記憶部４１１ｋに記憶されている媒体固有情報を読み出す。
コンテンツの暗号化をする場合には、第３暗号復号部３８３は、読み出した媒体固有情報を鍵として用いて、コンテンツを暗号化して暗号化コンテンツを生成し、「媒体固有」を示す固有情報種別と生成した暗号化コンテンツとを対応付けてメモリカード４００ｋの第１外部記憶部４１２ｋに書き込む。
【０２４５】
暗号化コンテンツを復号する場合には、第３暗号復号部３８３は、読み出した媒体固有情報を鍵として用いて、第１外部記憶部４１２ｋから読み出した暗号化コンテンツを復号してコンテンツを生成する。
（４）デジタル著作物配信システム１００ｋの動作
デジタル著作物配信システム１００ｋの動作について、図３５〜図３６に示すフローチャートを用いて説明する。
【０２４６】
最初に、携帯電話３００ｋがコンテンツを取得してメモリカード４００ｋに書き込む場合における動作について説明する。
携帯電話３００ｋは、取得するコンテンツを識別するコンテンツＩＤをコンテンツ配信用サーバ装置２００ｋへ送信し（ステップＳ４２１）、コンテンツ配信用サーバ装置２００ｋは、コンテンツ情報テーブル６２０から受信したコンテンツＩＤと同じコンテンツＩＤを含むコンテンツ情報を抽出し（ステップＳ４２２）、抽出したコンテンツ情報に含まれるコンテンツと固有種別識別とを携帯電話３００ｋへ送信する（ステップＳ４２３）。
【０２４７】
認証部３９０は、メモリカード４００ｋとの間で相互に機器認証を行い（ステップＳ４２４）、機器認証が成功すると（ステップＳ４２５）、制御部３６６ｋは、コンテンツと固有種別情報とを受け取り、固有種別情報が「機器固有」であると判断する場合に（ステップＳ４２６）、制御部３６６ｋは、第１暗号復号部３８２に対して暗号処理を行うように制御し、第１暗号復号部３８２は、固有情報記憶部３１０から機器固有情報を読み出し（ステップＳ４２７）、内部記憶部３０３からコンテンツを読み出し、機器固有情報を鍵として用いて読み出したコンテンツを暗号化し（ステップＳ４２８）、「機器固有」である固有種別情報と、生成した暗号化コンテンツとを対応付けて、メモリカード４００ｋの第１外部記憶部４１２ｋへ書き込む（ステップＳ４２９）。
【０２４８】
固有種別情報が「媒体固有」であると判断する場合に（ステップＳ４２６）、制御部３６６ｋは、第３暗号復号部３８３に対して暗号処理を行うように制御し、第３暗号復号部３８３は、メモリカード４００ｋの第２外部記憶部４１１ｋから媒体固有情報を読み出し（ステップＳ４３０）、内部記憶部３０３からコンテンツを読み出し、媒体固有情報を鍵として用いて読み出したコンテンツを暗号化し（ステップＳ４３１）、「媒体固有」である固有種別情報と、生成した暗号化コンテンツとを対応付けて、メモリカード４００ｋの第１外部記憶部４１２ｋへ書き込む（ステップＳ４３２）。
【０２４９】
認証部３９０は、メモリカード４００ｋとの間で相互に機器認証を行い、機器認証が失敗すると（ステップＳ４２５）、ここで処理を終了する。
次に、携帯電話３００ｋがメモリカード４００ｋに記憶されている暗号化コンテンツを復号して再生する場合における動作について説明する。
携帯電話３００ｋの認証部３９０は、メモリカード４００ｋとの間で相互に機器認証を行い（ステップＳ４４１）、機器認証が成功すると（ステップＳ４４２）、読出部３５０は、メモリカード４００ｋの第１外部記憶部４１２ｋから固有種別情報と暗号化コンテンツとを読み出し、固有種別情報を制御部３６６ｋへ出力する（ステップＳ４４３）。制御部３６６ｋは、固有種別情報を受け取り、受け取った固有種別情報が「機器固有」か又は「媒体固有」かを判断し、固有種別情報が「機器固有」であると判断する場合に（ステップＳ４４４）、制御部３６６ｋは、第１暗号復号部３８２に対して復号処理を行うように制御し、第１暗号復号部３８２は、固有情報記憶部３１０から機器固有情報を読み出し（ステップＳ４４５）、暗号化コンテンツを読出部３５０から受け取り、読み出した機器固有情報を鍵として用いて暗号化コンテンツを復号し（ステップＳ４４６）、内部記憶部３０３へコンテンツを書き込み、再生部３０４は、コンテンツを再生する（ステップＳ４４７）。
【０２５０】
固有種別情報が「媒体固有」であると判断する場合に（ステップＳ４４４）、制御部３６６ｋは、第３暗号復号部３８３に対して復号処理を行うように制御し、第３暗号復号部３８３は、読出部３５０を介して、メモリカード４００ｋの第２外部記憶部４１１ｋから媒体固有情報を読み出し（ステップＳ４４８）、暗号化コンテンツを読出部３５０から受け取り、読み出した媒体固有情報を鍵として用いて暗号化コンテンツを復号し（ステップＳ４４９）、内部記憶部３０３へコンテンツを書き込み、再生部３０４は、コンテンツを再生する（ステップＳ４５０）。
【０２５１】
８．総括
以上説明したように、本発明は、デジタル著作物であるコンテンツを扱うデジタル著作物保護システムであって、記録再生装置と、記録再生装置に着脱可能な記録媒体装置とからなる。前記記録再生装置は、前記コンテンツを格納する内部記憶領域と、記録再生装置毎に固有である固有情報を格納する固有情報格納領域と、前記内部記憶領域に格納されたコンテンツを前記固有情報に基づいて暗号化する暗号化部と、前記暗号化部で暗号化された暗号化コンテンツを前記記録媒体装置に書き込む書き込み部と、前記記録媒体装置から暗号化コンテンツを読み出す読み出し部と、前記読み出し部で読み出された暗号化コンテンツを前記固有情報に基づいて復号する復号部と、前記コンテンツを再生する再生部を有する。前記記録媒体装置は、前記記録再生装置の書き込み部により書き込まれる、若しくは前記記録再生装置の読み出し部により読み出される暗号化コンテンツを格納する外部記憶領域を有する。
【０２５２】
ここで、前記記録再生装置の暗号化部は、コンテンツ毎に固有のタイトル鍵を前記固有情報に基づいて暗号化し、前記コンテンツを前記タイトル鍵に基づいて暗号化し、前記書き込み部は、前記暗号化部で暗号化された暗号化コンテンツと暗号化タイトル鍵を前記記録媒体装置に書き込み、前記読み出し部は、前記記録媒体装置から暗号化コンテンツと暗号化タイトル鍵を読み出し、前記復号部は、前記暗号化タイトル鍵を前記固有情報に基づいて復号し、前記暗号化コンテンツを復号された前記タイトル鍵に基づいて復号する。前記記録媒体装置の外部記憶領域は、前記記録再生装置の書き込み部により書き込まれる、若しくは前記記録再生装置の読み出し部により読み出される暗号化コンテンツと暗号化タイトル鍵を格納する。
【０２５３】
ここで、前記記録再生装置は、さらに利用条件格納領域と利用条件判定部を備える。前記利用条件格納領域は、前記コンテンツの利用条件データを格納し、前記利用条件判定部は、前記利用条件データに基づいてコンテンツの再生するかどうか判定する。
ここで、前記記録再生装置は、さらに、認証部を備え、前記記録媒体装置は、さらに、認証部を備え、前記外部記憶領域は、第１の外部記憶領域と、第２の外部記憶領域とからなる。前記記録再生装置は、前記記録媒体装置に前記暗号化タイトル鍵を書き込む、若しくは前記記録媒体装置から前記暗号化タイトル鍵を読み出すのに先立って、前記記録再生装置の認証部は、前記記録媒体装置の正当性を認証し、前記記録媒体装置の認証部は、前記記録再生装置の正当性を認証し、それぞれの認証が成功した場合に、前記暗号化タイトル鍵の書き込み、若しくは、読み出しを実行する。前記記録媒体装置は、暗号化コンテンツを前記第１の外部記憶領域に、前記暗号化タイトル鍵を前記第２の外部記憶領域に格納する。
【０２５４】
ここで、前記記録再生装置は、さらに、利用条件判定部を備える。前記記録再生装置は、前記記録媒体装置にコンテンツの利用条件データを書き込む、若しくは前記記録媒体装置からコンテンツの利用条件データを読み出すのに先立って、前記記録再生装置の認証部は、前記記録媒体装置の正当性を認証し、前記記録媒体装置の認証部は、前記記録再生装置の正当性を認証し、それぞれの認証が成功した場合に、前記利用条件データの書き込み、若しくは、読み出しを実行し、前記利用条件判定部は、前記利用条件データに基づいてコンテンツの再生するかどうか判定する。前記記録媒体装置は、前記利用条件データを前記第２の外部記憶領域に格納する。
【０２５５】
ここで、前記利用条件データは、前記コンテンツの再生回数を制御する情報、若しくは、前記コンテンツの再生期間を制御する情報、若しくは、前記コンテンツの再生累積時間を制御する情報を含む。
ここで、記録再生装置は、さらに、コンテンツ購入部と、コンテンツ受信部を備える。前記コンテンツ購入部は、外部からコンテンツを購入し、前記コンテンツ受信部は、購入されたコンテンツを受信し、前記内部記憶領域に格納する。
【０２５６】
ここで、記録再生装置は、さらに、コンテンツ判別部を備え、前記コンテンツ判別部は、前記内部記憶領域に格納されたコンテンツが、前記暗号化部によって前記固有情報に基づいて暗号化し、前記書き込み部によって前記記録媒体装置に書き込むことを予め許諾されたコンテンツかどうかを判別する。
ここで、記録再生装置は、さらに、記録媒体装置判別部を備える。前記記録媒体装置判別部は、前記記録再生装置に装着された記録媒体装置が、前記内部記憶領域に格納されたコンテンツを前記暗号化部によって前記固有情報に基づいて暗号化し、前記書き込み部によって前記記録媒体装置に書き込むことを予め許諾された記録媒体装置か否かを判別する。
【０２５７】
ここで、前記記録再生装置の固有情報格納領域、若しくは、利用条件格納領域は、前記固有情報若しくは利用条件データの読み書きが特別に許諾された機種変更装置以外では、外部に読み出したり、外部から書き込みできないように保護されている。
また、本発明は、記録媒体装置が着脱可能な記録再生装置である。前記記録再生装置は、コンテンツを格納する内部記憶領域と、記録再生装置毎に固有である固有情報を格納する固有情報格納領域と、コンテンツ毎に固有のタイトル鍵を前記固有情報に基づいて暗号化し、前記コンテンツを前記タイトル鍵に基づいて暗号化する暗号化部と、前記暗号化部で暗号化された暗号化コンテンツと暗号化タイトル鍵を前記記録媒体装置に書き込む書き込み部と、前記記録媒体装置から暗号化コンテンツと暗号化タイトル鍵を読み出す読み出し部と、前記暗号化タイトル鍵を前記固有情報に基づいて復号し、前記暗号化コンテンツを復号された前記タイトル鍵に基づいて復号する前記復号部と、前記コンテンツを再生する再生部を有する。
【０２５８】
ここで、前記記録再生装置は、さらに、認証部を有する。前記記録再生装置の認証部は、前記記録媒体装置に前記暗号化タイトル鍵を書き込む、若しくは、前記記録媒体装置から前記暗号化タイトル鍵を読み出すのに先立って、前記記録媒体装置との間で相互に正当性を認証し、その認証が成功した場合に、前記暗号化タイトル鍵の書き込み、若しくは、読み出しを実行する。
【０２５９】
また、本発明は、記録再生装置に着脱可能な記録媒体装置である。前記記録媒体装置は、前記記録再生装置の書き込み部により書き込まれる、若しくは、前記記録再生装置の読み出し部により読み出される暗号化コンテンツ及び暗号化タイトル鍵を格納する外部記憶領域を有する。
ここで、前記記録媒体装置は、さらに認証部を備え、前記記録再生装置が前記記録媒体装置に前記暗号化タイトル鍵を書き込む、若しくは、前記記録媒体装置から前記暗号化タイトル鍵を読み出すのに先立って、前記記録媒体装置の認証部は、前記記録再生装置との間で相互に正当性を認証し、認証が成功した場合に、前記暗号化タイトル鍵を前記第２の外部記憶領域に格納する。
【０２６０】
また、本発明は、第１の記録再生装置の前記固有情報格納領域から固有情報を読み出し、第２の記録再生装置の前記固有情報格納領域に、読み出された前記固有情報を書き込むことを特別に許諾された固有情報読み書き部を備える。
ここで、前記機種変更装置は、さらに特別に許諾された利用条件読み書き部を備え、第１の記録再生装置と第２の記録再生装置が利用条件格納領域を有する場合に、前記第１の記録再生装置の利用条件格納領域から利用条件データを読み出し、前記第２の記録再生装置の前記利用条件格納領域に、読み出された前記利用条件データを書き込む。
【０２６１】
ここで、前記機種変更装置は、記録再生装置とネットワーク経由で定期的に若しくは必要に応じて接続されており、前記記録再生装置は、さらに、機種変更情報の正当性を判定する機種変更情報判定部を備え、前記機種変更装置は、前記記録再生装置の契約条件データに基づいて、前記記録再生装置に、前記機種変更情報を送り、前記記録再生装置は、前記機種変更情報判定部において、受け取った機種変更情報の正当性を判定し、前記機種変更情報判定部において、受け取った機種変更情報が正当であると判定された場合に、前記記録再生装置の固有情報格納領域に、前記機種変更情報に含まれる前記記録再生装置に固有の固有情報を書き込む、若しくは、固有情報を消去する固有情報読み書き部を備える。
【０２６２】
ここで、前記記録再生装置に第２の記録媒体装置が装着される。前記第２の記録媒体装置は、前記記録再生装置の固有情報格納領域を備え、記録再生装置に装着された前記固有情報格納領域を備えた第２の記録媒体装置を、第２の記録再生装置に装着する部を備える。
本発明による著作物保護システム、記録再生装置、記録媒体装置、及び機種変更装置においては、記録再生装置の内部記憶領域は、一般にメモリ容量が限られている。従って、従来は、内部記憶領域がデジタル著作物でいっぱいになった場合、内部記憶領域のデジタル著作物を消去し空きメモリを確保してからデジタル著作物を購入するか、購入をあきらめなければならなかった。しかし、本発明によれば、記録再生装置の内部記憶領域に記録されたデジタル著作物のうちすぐに利用しないもの等は、記録再生装置に装着される記録媒体装置に書き込み、それによって、既に購入済みのデジタル著作物を再生する権利を失うことなく、記録再生装置の内部記憶領域に空きメモリを確保することができ、さらなるデジタル著作物の購入が可能となる。
【０２６３】
しかも以上の構成により、ある記録再生装置から記録媒体装置に、暗号化コンテンツを保存した場合、その記録媒体装置を他の記録再生装置に装着して、他の記録再生装置において暗号化コンテンツを復号し、再生することは不可能となる。すなわち本発明によれば、著作権者がコンテンツによっては要求する「ある記録再生装置から、その記録再生装置に装着された記録媒体装置に保存したコンテンツは、他の記録再生装置に記録媒体装置を装着しても復号、再生できないという権利」を保証できるという効果が得られる。
【０２６４】
また、本発明によれば、利用条件データ付きのコンテンツを利用条件データによって許諾された範囲内で再生することが可能となるという効果が得られる。
また本発明によれば、ある記録再生装置から他の記録再生装置に変更する場合、記録媒体装置に保存された購入済みコンテンツは一切処理することなく、新しい記録再生装置において、前の記録再生装置で保存した購入済みコンテンツの読出し、再生が可能となるという効果が得られる。
【０２６５】
以上、本発明に係るデジタル著作物配信システムについて説明したが、本発明は、これらの実施の形態にかぎられないことは勿論である。以下のように構成してもよい。
（１）本実施の形態では、携帯電話を用いた場合のデジタル著作物配信システムについて説明したが、これに限定されない。例えば、携帯電話に代えて、Ｌモード対応の据え置き電話、携帯型情報端末装置、パーソナルコンピュータ、あるいは、インターネット接続機能を有するテレビ等の家電製品であっても構わない。
【０２６６】
また、コンテンツ配信用サーバ装置２００と携帯電話３００とは、インターネット１０、携帯電話網２０及び無線基地局３０を介して接続されているとしているが、この接続形態には限定されない。例えば、コンテンツ配信用サーバ装置と携帯型情報端末装置とは、インターネットを介して接続されているとしてもよい。また、コンテンツ配信用サーバ装置には、放送装置が接続され、コンテンツなどの各種情報が放送波に乗せて放送され、テレビなどの家電製品は、放送波を受信し、受信した放送波から各種情報を抽出するとしてもよい。
【０２６７】
（２）本実施の形態では、暗号アルゴリズムとしてＤＥＳを利用する場合を説明したが、これに限定されない。また、固有情報として、56ビットの固有鍵を用いる場合を説明したが、この長さに限定されることはない。
（３）本実施の形態では、メモリカードにコンテンツが保存されるものとしたが、これに限定されることはなく、例えば光ディスク等の記録媒体に保存するものとしてもよい。
【０２６８】
（４）本実施の形態では、コンテンツを暗号化するものとしたが、コンテンツの一部を暗号化するものとしてもよい。
（５）本実施の形態では、メモリカードに格納された暗号化コンテンツは、記録再生装置（実施の形態では、携帯電話）で復号し、記録再生装置の内部記憶領域に格納する場合について説明したが、メモリカードに格納された暗号化コンテンツを、記録再生装置で復号し、リアルタイムに、復号されたコンテンツを再生部で再生するものとしてもよい。また、メモリカードに保存された利用条件データ付きコンテンツの場合にも同様に、記録再生装置で復号し、利用条件判定部で利用が許諾された場合、リアルタイムに、復号されたコンテンツを再生部で再生するものとしてもよい。
【０２６９】
（６）本実施の形態では、固有情報格納領域に格納される情報として電話番号の場合について説明したが、それに限らず、例えば、携帯電話のシリアル番号など携帯電話に固有の情報であれば何でもよい。
（７）本実施の形態では、コンテンツ毎に利用条件データが付加される場合について説明したがそれに限るものではない。利用条件は、例えば、月単位で１００個までカラオケデータを購入するというものであってもかまわない。この場合、例えば、月極め契約を解除すると、例えば翌月から、利用条件判定部によって、メモリカードあるいは記録再生装置の内部記憶領域に格納されたコンテンツの再生は不可能となるような構成とすることも可能である。
【０２７０】
（８）本実施の形態では、必ずコンテンツ又はタイトル鍵を固有情報に基づいて暗号化してメモリカードに記録するものとして説明したが、それに限定するものではなく、携帯電話にコンテンツ判別部を設け、コンテンツによって、コンテンツ又はタイトル鍵を固有情報に基づいて暗号化するかどうかを選択可能とする構成をとることもできる。
【０２７１】
（９）本実施の形態では、機種変更装置は、固有情報領域の固有情報を、携帯電話Aから携帯電話Bに移動する構成について説明したが、これだけに限らず、例えば、記録再生装置の内部領域に格納された購入済みコンテンツを移動するよう機種変更装置を構成してもよい。
（１０）携帯電話は、コンテンツ配信用サーバ装置から、コンテンツとともに、コンテンツ判別情報を取得して内部に記憶するとしてもよい。ここで、コンテンツ判別情報は、内部に記憶されたコンテンツが、固有情報に基づいて暗号化し、メモリカードに書き込むことを予め許諾されたコンテンツかどうかを示す。
【０２７２】
携帯電話は、さらに、コンテンツ判別部を備える。前記コンテンツ判別部は、前記コンテンツ判別情報に基づいて、内部に記憶しているコンテンツが、暗号部によって前記固有情報に基づいて暗号化し、書込部によってメモリカードに書き込むことを予め許諾されたコンテンツかどうかを判別する。暗号部は、前記コンテンツ判別部により許諾されたコンテンツであると判断される場合に、暗号化する。書込手段は、前記コンテンツ判別部により許諾されたコンテンツであると判断される場合に、前記メモリカードに書き込む。
【０２７３】
（１１）メモリカードは、さらに、メモリカードの種別を示す種別情報を予め記憶しているとしてもよい。ここで、メモリカードの種別とは、具体的には、メモリカードの外形状による種別、携帯電話との接続部の形状による種別、製造業者による種別、記憶容量による種別、情報の記憶方式による種別、携帯電話とのアクセス方式による種別などを示す。また、前記種別情報は、メモリカードが携帯電話に装着されたときに、携帯電話の内部に記憶されているコンテンツを暗号部により固有情報に基づいて暗号化し、書込部により前記メモリカードに書き込むことを予め許諾するか否かを示す。
【０２７４】
携帯電話は、さらに、記録媒体装置判別部を備える。前記記録媒体装置判別部は、メモリカードが記憶している種別情報に基づいて、前記携帯電話に装着されたメモリカードが、内部に記憶されているコンテンツを暗号部により固有情報に基づいて暗号化し、書込部により前記メモリカードに書き込むことを予め許諾されたメモリカードか否かを判別する。
【０２７５】
暗号部は、記録媒体装置判別部により許諾されたコンテンツであると判断される場合に、暗号化する。書込手段は、記録媒体装置判別部により許諾されたコンテンツであると判断される場合に、前記メモリカードに書き込む。
（１２）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０２７６】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０２７７】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０２７８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１３）上記実施の形態及び上記変形例をそれぞれ組み合わせるとしてもよい。
【０２７９】
【発明の効果】
以上説明したように、デジタル著作物を記録し、再生するデジタル著作物保護システムであって、記録再生装置と、可搬型の記録媒体装置とを含み、前記記録媒体装置は、情報を記憶するための外部記憶領域を備え、前記記録再生装置に装着され、前記記録再生装置は、デジタル著作物であるコンテンツを記憶している内部記憶手段と、前記記録再生装置に固有の機器固有情報を予め記憶している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を前記記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備える。
【０２８０】
この構成によると、前記記録再生装置に固有の機器固有情報に基づいてコンテンツを暗号化して生成した暗号化情報を記録媒体装置に書き込み、自身の機器固有情報に基づいて暗号化情報を復号してコンテンツを再生するので、記録媒体装置に書き込まれた暗号化情報は、前記機器固有情報を有しない他の装置により復号して再生されることはなく、前記記録媒体装置によってのみ復号して再生されるという効果がある。
【０２８１】
ここで、前記暗号化手段は、前記機器固有情報を鍵として用いて、前記コンテンツを暗号化して暗号化情報を生成し、前記復号手段は、前記機器固有情報を鍵として用いて、読み出された前記暗号化情報を復号する。
この構成によると、前記機器固有情報を鍵として用いて、前記コンテンツを暗号化して暗号化情報を生成し、前記機器固有情報を鍵として用いて、読み出された前記暗号化情報を復号するので、記録媒体装置に書き込まれた暗号化情報は、前記機器固有情報を有しない他の装置により復号して再生されることはない。
【０２８２】
ここで、前記記録再生装置は、さらに、前記コンテンツの利用の許諾に係る利用条件情報を記憶している条件記憶手段と、前記利用条件情報に基づいて前記コンテンツの利用が許諾されるか否かを判定する条件判定手段とを含む。
この構成によると、前記記録再生装置は、前記コンテンツの利用の許諾に係る利用条件情報を予め記憶しており、前記利用条件情報に基づいて前記コンテンツを再生するか否かを判定し、再生すると判定された場合にのみ、前記復号コンテンツを再生するので、利用条件情報に示される許諾範囲外でのコンテンツの利用を阻止することができる。
【０２８３】
ここで、前記固有情報記憶手段及び条件記憶手段は、それぞれ前記機器固有情報及び前記利用条件情報の読み書きが特別に許諾された装置以外では、外部に読み出したり、外部から書き込みできないように、保護されている。
この構成によると、前記固有情報記憶手段及び条件記憶手段は、特別に許諾された装置以外では、外部に読み出したり、外部から書き込みできないように、保護されているので、機器固有情報及び利用条件情報が外部に漏れることがない。
【０２８４】
ここで、前記暗号化手段は、前記コンテンツに固有のタイトル鍵を生成し、前記機器固有情報を鍵として用いて、生成したタイトル鍵を暗号化して暗号化タイトル鍵を生成し、生成した前記タイトル鍵を鍵として用いて、前記コンテンツを暗号化して暗号化コンテンツを生成し、前記暗号化タイトル鍵と前記暗号化コンテンツとから構成される暗号化情報を生成し、前記書込手段は、前記暗号化タイトル鍵と前記暗号化コンテンツとから構成される暗号化情報を前記記録媒体装置が備える前記外部記憶領域に書き込み、前記読出手段は、前記暗号化タイトル鍵と前記暗号化コンテンツとから構成される暗号化情報を前記記録媒体装置が備える前記外部記憶領域から読み出し、前記復号手段は、前記機器固有情報を鍵として用いて、読み出した暗号化情報に含まれる前記暗号化タイトル鍵を復号して復号タイトル鍵を生成し、生成した復号タイトル鍵を鍵として用いて、読み出した暗号化情報に含まれる前記暗号化コンテンツを復号して復号コンテンツを生成し、前記記録媒体装置は、前記暗号化タイトル鍵と前記暗号化コンテンツとから構成される暗号化情報を記憶するための前記外部記憶領域を備える。
【０２８５】
この構成によると、前記記録再生装置は、機器固有情報を鍵として用いて、生成したタイトル鍵を暗号化して暗号化タイトル鍵を生成し、生成した前記タイトル鍵を鍵として用いて、前記コンテンツを暗号化して暗号化コンテンツを生成し、前記機器固有情報を鍵として用いて、前記暗号化タイトル鍵を復号して復号タイトル鍵を生成し、生成した復号タイトル鍵を鍵として用いて、読み出した前記暗号化コンテンツを復号して復号コンテンツを生成するので、記録媒体装置に書き込まれた暗号化タイトル鍵は、前記機器固有情報を有しない他の装置により復号されることはなく、前記記録媒体装置によってのみ復号される。このため、暗号化コンテンツは、前記記録媒体装置によってのみ復号される。
【０２８６】
ここで、前記記録再生装置は、さらに、前記書込手段が前記暗号化情報を前記外部記憶領域に書き込む前に、又は前記読出手段が前記外部記憶領域から暗号化情報を読み出す前に、前記記録媒体装置が有する第２認証手段との間で相互に相手の装置の正当性を認証する第１認証手段を含み、前記記録媒体装置は、さらに、前記記録再生装置が有する前記第１認証手段との間で相互に相手の装置の正当性を認証する前記第２認証手段を含み、前記外部記憶領域は、第１記憶領域と前記第１認証手段により相互の正当性が認証された場合のみ書込み及び読出しが可能な第２記憶領域とから構成され、前記書込手段は、前記第１記憶領域に暗号化コンテンツを書き込み、第１認証手段により相互の正当性の認証がされた場合にのみ、前記第２記憶領域に暗号化タイトル鍵を書き込み、前記読出手段は、前記第１記憶領域から暗号化コンテンツを読み出し、第１認証手段により相互の正当性の認証がされた場合にのみ、前記第２記憶領域から暗号化タイトル鍵を読み出す。
【０２８７】
この構成によると、前記記録再生装置と前記記録媒体装置とは、相互に相手の正当性を認証し、相互に正当性が認証された場合にのみ、前記記録再生装置は、前記記録媒体装置に暗号化コンテンツ鍵を書き込み、又は前記記録媒体装置から暗号化コンテンツ鍵を読み出すので、正当な装置と不正な装置との間でコンテンツの読み書きがされることを防止する。
【０２８８】
ここで、前記記録再生装置は、さらに、前記コンテンツの利用の許諾に係る利用条件情報を記憶している条件記憶手段と、前記利用条件情報に基づいて前記コンテンツの利用が許諾されるか否かを判定する条件判定手段とを含む。
この構成によると、記録再生装置に利用条件を記憶でき、前記利用条件に基づいてコンテンツの利用が許諾されているか否かを判断できる。
【０２８９】
ここで、前記書込手段は、第１認証手段により相互の正当性が認証された場合にのみ、前記条件記憶手段から前記利用条件情報を読み出し、読み出した前記利用条件情報を前記第２記憶領域に書き込み、前記読出手段は、第１認証手段により相互の正当性が認証された場合にのみ、前記第２記憶領域から前記利用条件情報を読み出し、読み出した前記利用条件情報を前記条件記憶手段に書き込み、前記条件判定手段は、前記利用条件情報に基づいて前記コンテンツの利用が許諾されるか否かを判定する。
【０２９０】
この構成によると、前記記録再生装置と前記記録媒体装置とは、相互に相手の正当性を認証し、相互に正当性が認証された場合にのみ、前記記録再生装置は、利用条件情報を前記記録媒体装置に書き込み、又は前記記録媒体装置から前記利用条件情報を読み出し、読み出した前記利用条件情報に基づいて前記コンテンツの利用が許諾されているか否かを判定するので、コンテンツとともに利用条件情報を記録媒体装置に記録することができる。
【０２９１】
ここで、前記条件記憶手段に記憶されている前記利用条件情報は、前記コンテンツの再生回数を示し、前記コンテンツの再生期間を示し、前記コンテンツの再生累積時間を示し、前記コンテンツのコピー可能回数を示し、又は前記コンテンツの移動可能回数を示し、前記条件判定手段は、前記再生手段により再生される前記コンテンツの回数が前記再生回数以内である場合、前記再生手段により前記コンテンツが再生される日時が、前記再生期間内である場合、又は前記再生手段により前記コンテンツが再生される累積の時間が、前記累積時間以内である場合、前記コンテンツを再生すると判定し、その他の場合、再生しないと判定し、また前記コンテンツのコピー可能回数が１以上の場合、記録媒体装置へのコピーが可能と判定し、その他の場合、コピーが不可能と判定し、前記コンテンツの移動可能回数が１以上の場合、記録媒体装置への移動が可能と判定し、その他の場合、移動が不可能と判定する。
【０２９２】
この構成によると、前記利用条件情報は、前記コンテンツの再生回数を示し、前記コンテンツの再生期間を示し、前記コンテンツの再生累積時間を示し、前記コンテンツのコピー可能回数を示し、又は前記コンテンツの移動可能回数を示すので、コンテンツの多様な利用制限が可能である。
ここで、前記記録再生装置は、さらに、前記記録媒体装置が前記第２認証手段を含むか否かを判定する認証判定手段を含み、前記暗号化手段は、さらに、前記記録媒体装置が前記第２認証手段を含まないと判定される場合に、前記機器固有情報を鍵として用いて、前記コンテンツを暗号化して暗号化情報を生成し、前記書込手段は、さらに、前記記録媒体装置が前記第２認証手段を含まないと判定される場合に、生成された暗号化情報を前記記録媒体装置が備える外部記憶領域に書き込み、前記読出手段は、さらに、前記記録媒体装置が前記第２認証手段を含まないと判定される場合に、前記記録媒体装置が備える前記外部記憶領域から暗号化情報を読み出し、前記復号手段は、さらに、前記記録媒体装置が前記第２認証手段を含まないと判定される場合に、前記機器固有情報を鍵として用いて、読み出された前記暗号化情報を復号する。
【０２９３】
この構成によると、前記記録媒体装置が認証手段を有するか否かにより、コンテンツの暗号化方式を切り換えるので、デジタル著作物保護システムの多様な利用形態の展開が可能となる。
ここで、前記記録媒体装置は、さらに、当該記録媒体装置に固有の媒体固有情報を予め記憶しており、前記内部記憶手段は、記録再生装置に固有の機器固有情報に基づいて前記コンテンツを暗号化するか、又は記録媒体装置に固有の媒体固有情報に基づいて前記コンテンツを暗号化するか示す固有情報種別を、前記コンテンツに対応付けて、記憶しており、前記記録再生装置は、さらに、前記内部記憶手段が記憶している固有情報種別に基づいて、機器固有情報に基づいて暗号化するか、又は媒体固有情報に基づいて暗号化するかを判断する固有情報判別手段を含み、前記暗号化手段は、前記固有情報判別手段により、機器固有情報に基づいて暗号化すると判断された場合に、前記コンテンツを、前記機器固有情報に基づいて暗号化し、さらに、前記固有情報判別手段により、媒体固有情報に基づいて暗号化すると判断された場合に、前記記録媒体装置から前記媒体固有情報を読み出し、読み出した前記媒体固有情報に基づいて、前記内部記憶手段に記憶されている前記コンテンツを、暗号化して暗号化情報を生成し、前記復号手段は、前記固有情報判別手段により、機器固有情報に基づいて暗号化すると判断された場合に、読み出された前記暗号化情報を、前記機器固有情報に基づいて復号し、さらに、前記固有情報判別手段により、媒体固有情報に基づいて暗号化すると判断された場合に、前記記録媒体装置から前記媒体固有情報を読み出し、読み出した前記媒体固有情報に基づいて、読み出された前記暗号化情報を復号して、復号コンテンツを生成する。
【０２９４】
この構成によると、固有情報種別に応じて、暗号化の際に用いられる固有情報を切り換えるので、デジタル著作物保護システムの多様な利用形態の展開が可能となる。
また、本発明は、利用者とサービス提供業者との間の契約により利用が許可された第１記録再生装置を、契約変更により第２記録再生装置に変更する機種変更装置であって、前記第１記録再生装置は、デジタル著作物であるコンテンツを記憶している第１内部記憶手段と、前記第１記録再生装置に固有の機器固有情報を予め記憶している第１固有情報記憶手段と、前記第１内部記憶手段に記憶されている前記コンテンツを、前記第１固有情報記憶手段に記憶されている前記機器固有情報に基づいて暗号化して暗号化情報を生成する第１暗号化手段と、生成された暗号化情報を記録媒体装置が備える外部記憶領域に書き込む第１書込手段と、前記記録媒体装置が備える前記外部記憶領域から暗号化情報を読み出す第１読出手段と、読み出された暗号化情報を、前記第１固有情報記憶手段に記憶されている前記機器固有情報に基づいて復号して、復号コンテンツを生成する第１復号手段と、生成された前記復号コンテンツを再生する第１再生手段とを備え、前記記録媒体装置は、前記暗号化情報を記憶するための前記外部記憶領域を備え、前記第２記録再生装置は、デジタル著作物であるコンテンツを記憶するための領域を備えている第２内部記憶手段と、機器固有情報を記憶するための領域を備えている第２固有情報記憶手段と、前記第２内部記憶手段に記憶される前記コンテンツを、前記第２固有情報記憶手段に記憶される前記機器固有情報に基づいて暗号化して暗号化情報を生成する第２暗号化手段と、生成された暗号化情報を記録媒体装置が備える外部記憶領域に書き込む第２書込手段と、前記記録媒体装置が備える前記外部記憶領域から暗号化情報を読み出す第２読出手段と、読み出された暗号化情報を、前記第２固有情報記憶手段に記憶されている前記機器固有情報に基づいて復号して、復号コンテンツを生成する第２復号手段と、生成された前記復号コンテンツを再生する第２再生手段とを備え、前記機種変更装置は、前記第１固有情報記憶手段に記憶されている機器固有情報を読み出し、前記第１固有情報記憶手段に記憶されている機器固有情報を削除する第３読出手段と、読み出した前記機器固有情報を前記第２固有情報記憶手段に書き込む第３書込手段とを備える。
【０２９５】
この構成によると、機種変更装置は、第１記録再生装置の前記第１固有情報記憶手段に記憶されている機器固有情報を読み出し、前記第１固有情報記憶手段に記憶されている機器固有情報を削除し、読み出した前記機器固有情報を第２記録再生装置の前記第２固有情報記憶手段に書き込むので、機種変更を行った後においても、前記第１記録再生装置により記録媒体装置に書き込まれたコンテンツを、前記第２記録再生装置において利用することができる。また、機種変更を行った後の前記第１記録再生装置では、コンテンツを利用できないようにすることができる。
【０２９６】
また、本発明は、利用者とサービス提供業者との間の契約により利用が許可された記録再生装置を解約する機種変更装置であって、前記記録再生装置は、デジタル著作物であるコンテンツを記憶している内部記憶手段と、前記記録再生装置に固有の機器固有情報及び前記契約に係る契約情報を予め記憶しており、前記機器固有情報は、前記契約情報から独立している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備え、前記記録媒体装置は、前記暗号化情報を記憶するための前記外部記憶領域を備え、前記機種変更装置は、前記固有情報記憶手段に記憶されている契約情報を読み出す読出手段と、読み出した前記契約情報に係る契約を解約処理する解約手段とを備える。
【０２９７】
この構成によると、前記記録再生装置は、前記契約に係る契約情報から独立した機器固有情報を予め記憶しており、前記機種変更装置は、前記固有情報記憶手段に記憶されている契約情報を読み出し、読み出した前記契約情報に係る契約を解約処理するので、前記記録再生装置を解約した後であっても、前記記録媒体装置に記憶されているコンテンツを、前記記録再生装置により再生することができる。
【０２９８】
また、本発明は、利用者と第１サービス提供業者との間で締結された記録再生装置の利用に係る第１契約を、前記利用者と第２サービス提供業者との間の第２契約に変更する機種変更装置であって、前記記録再生装置は、デジタル著作物であるコンテンツを記憶している内部記憶手段と、前記記録再生装置に固有の機器固有情報及び前記第１契約に係る第１契約情報を記憶しており、前記機器固有情報は、前記第１契約情報から独立している固有情報記憶手段と、前記内部記憶手段に記憶されている前記コンテンツを、前記固有情報記憶手段に記憶されている前記機器固有情報に基づいて暗号化して暗号化情報を生成する暗号化手段と、生成された暗号化情報を記録媒体装置が備える外部記憶領域に書き込む書込手段と、前記記録媒体装置が備える前記外部記憶領域から暗号化情報を読み出す読出手段と、読み出された暗号化情報を、前記固有情報記憶手段に記憶されている前記機器固有情報に基づいて復号して、復号コンテンツを生成する復号手段と、生成された前記復号コンテンツを再生する再生手段とを備え、前記記録媒体装置は、前記暗号化情報を記憶するための前記外部記憶領域を備え、前記機種変更装置は、前記固有情報記憶手段に記憶されている第１契約情報を読み出す読出手段と、読み出した前記第１契約情報に係る第１契約を解約処理し、前記第２契約の締結処理をし、前記第２契約に係る第２契約情報を生成する契約変更解約手段と、生成された第２契約情報を前記固有情報記憶手段に書き込み、前記固有情報記憶手段に記憶されている第１契約情報を削除する書込手段とを備える。
【０２９９】
この構成によると、前記記録再生装置は、第１契約情報から独立している機器固有情報を記憶しており、前記機種変更装置は、記録再生装置から第１契約情報を読み出し、読み出した前記第１契約情報に係る第１契約を解約処理し、前記第２契約の締結処理をし、前記第２契約に係る第２契約情報を生成し、生成した第２契約情報を記録再生装置の固有情報記憶手段に書き込み、前記固有情報記憶手段に記憶されている第１契約情報を削除するので、前記記録再生装置のサービス提供業者を変更する場合であっても、変更後において、前記記録媒体装置に記録されているコンテンツを再生することができる。
【図面の簡単な説明】
【図１】デジタル著作物配信システム１００の全体構成を示すブロック図である。
【図２】コンテンツ配信用サーバ装置２００の構成を示すブロック図である。
【図３】携帯電話３００及びメモリカード４００の構成を示すブロック図である。
【図４】デジタル著作物配信システム１００の動作を示すフローチャートである。
【図５】メモリカード４００ｂの構成を示すブロック図である。
【図６】携帯電話３００ｂの構成を示すブロック図である。
【図７】携帯電話３００ｂによる暗号化コンテンツの生成とメモリカード４００ｂへの書込の動作を示すフローチャートである。
【図８】携帯電話３００ｂによるメモリカード４００ｂからの暗号化コンテンツの読出とコンテンツの生成の動作を示すフローチャートである。
【図９】携帯電話Ａ及び携帯電話Ｘによるコンテンツの再生時の動作を示す。
【図１０】携帯電話３００ｃ及びメモリカード４００の構成を示すブロック図である。
【図１１】携帯電話３００ｃによる動作を示すフローチャートである。
【図１２】利用条件が再生許可期間である場合の携帯電話３００ｃによる動作を示すフローチャートである。
【図１３】利用条件が累積再生許可時間である場合の携帯電話３００ｃによる動作を示すフローチャートである。
【図１４】メモリカード４００ｄの構成を示すブロック図である。
【図１５】携帯電話３００ｄの構成を示すブロック図である。
【図１６】暗号復号部３８０ｄの構成を示すブロック図である。
【図１７】デジタル著作物配信システム１００ｄの全体の動作を示すフローチャートである。
【図１８】携帯電話３００ｄとメモリカード４００ｄの間の機器認証の動作を示すフローチャートである。
【図１９】携帯電話３００ｄによる保存処理の動作を示すフローチャートである。
【図２０】携帯電話３００ｄによる読出処理の動作を示すフローチャートである。
【図２１】機種変更システム６００ｅの構成を示すブロック図である。
【図２２】機種変更システム６００ｅの動作を示すフローチャートである。
【図２３】機種変更システム６００ｇの構成を示すブロック図である。
【図２４】機種変更システム６００ｍの構成を示すブロック図である。
【図２５】機種変更システム６００ｍの動作を示すフローチャートである。
【図２６】機種変更システム６００ｍの変形例の動作を示すフローチャートである。
【図２７】携帯電話３００ｉ及びメモリカード４００ｉの構成を示すブロック図である。
【図２８】デジタル著作物配信システム１００ｉの動作を示すフローチャートである。
【図２９】コンテンツ配信用サーバ装置２００ｊのコンテンツ記憶部２０１が有する権利情報テーブル６１０のデータ構成を示す。
【図３０】メモリカード４００ｊの構成を示すブロック図である。
【図３１】コンテンツ配信用サーバ装置２００ｊからコンテンツを取得する場合の動作を示すフローチャートである。
【図３２】利用者がメモリカード４００ｊに書き込まれた暗号化コンテンツを誤って消去した場合におけるコンテンツの再取得の動作を示すフローチャートである。
【図３３】コンテンツ配信用サーバ装置２００ｋのコンテンツ記憶部２０１が有するコンテンツ情報テーブル６２０のデータ構成を示す。
【図３４】携帯電話３００ｋ及びメモリカード４００ｋの構成を示すブロック図である。
【図３５】携帯電話３００ｋがコンテンツを取得してメモリカード４００ｋに書き込む場合における動作を示すフローチャートである。
【図３６】携帯電話３００ｋがメモリカード４００ｋに記憶されている暗号化コンテンツを復号して再生する場合における動作を示すフローチャートである。
【符号の説明】
１０    インターネット
２０    携帯電話網
３０    無線基地局
４０    ゲートウェイ装置
１００    デジタル著作物配信システム
２００    コンテンツ配信用サーバ装置
２０１    コンテンツ記憶部
２０２    制御部
２０３    送受信部
３００    携帯電話
３０１    コンテンツ購入部
３０２    コンテンツ取得部
３０３    内部記憶部
３０４    再生部
３１０    固有情報記憶部
３２０    暗号部
３３０    書込部
３４０    復号部
３５０    読出部
３６１    送受信部
３６２    音声制御部
３６３    スピーカ
３６４    マイク
３６５    入力部
３６６    制御部
３６７    アンテナ
３６８    表示部
４００    メモリカード
４１０    外部記憶部
５００    機種変更装置
５０１    情報読出部
５０２    情報書込部
【図１】
0004287097.tif 000002
【図２】
0004287097.tif 000003
【図３】
0004287097.tif 000004
【図４】
0004287097.tif 000005
【図５】
0004287097.tif 000006
【図６】
0004287097.tif 000007
【図７】
0004287097.tif 000008
【図８】
0004287097.tif 000009
【図９】
0004287097.tif 000010
【図１０】
0004287097.tif 000011
【図１１】
0004287097.tif 000012
【図１２】
0004287097.tif 000013
【図１３】
0004287097.tif 000014
【図１４】
0004287097.tif 000015
【図１５】
0004287097.tif 000016
【図１６】
0004287097.tif 000017
【図１７】
0004287097.tif 000018
【図１８】
0004287097.tif 000019
【図１９】
0004287097.tif 000020
【図２０】
0004287097.tif 000021
【図２１】
0004287097.tif 000022
【図２２】
0004287097.tif 000023
【図２３】
0004287097.tif 000024
【図２４】
0004287097.tif 000025
【図２５】
0004287097.tif 000026
【図２６】
0004287097.tif 000027
【図２７】
0004287097.tif 000028
【図２８】
0004287097.tif 000029
【図２９】
0004287097.tif 000030
【図３０】
0004287097.tif 000031
【図３１】
0004287097.tif 000032
【図３２】
0004287097.tif 000033
【図３３】
0004287097.tif 000034
【図３４】
0004287097.tif 000035
【図３５】
0004287097.tif 000036
【図３６】
0004287097.tif 000037